(57)【要約】【課題】スロットマシンの球取込装置の取込作動確認を容易に行い得る作動確認用球供給装置、及びパチンコ遊技機の発射装置の発射作動確認を容易に行い得る作動確認用球供給装置を提案する。【解決手段】取込作動確認用の遊技球を貯留する携帯可能な確認球貯留スティック６０を、球貯留皿１５から遊技球を取り込む球取込装置５０に脱着可能とし、該貯留スティック６０から遊技球を球取込装置５０へ供給するものとした。また、発射作動確認用の遊技球を貯留する携帯可能な確認球貯留スティック１８０を、発射装置１５０の、発射レール１５５の発射位置Ｚに遊技球を供給する位置に脱着可能とした。これにより、各貯留スティック６０，１８０内の遊技球を用いて、球取込装置５０又は発射装置１５０の作動確認を容易かつ適正に行うことができ、遊技球紛失により生ずる遊技者とのトラブルが発生しない。【選択図】図７
2006346019.tif 000002
【特許請求の範囲】
【請求項１】
回転ドラムを備えた遊技機本体の前面に開閉可能に設けられ、取込用の遊技球を貯留する球貯留皿を具備する開閉パネルと、
遊技機本体に配設され、開閉パネルの閉鎖状態で球貯留皿に設けられた取込口と連通する球取込口と該球取込口からの遊技球が流下する球取込路とを具備する取込ケースと、該球取込路に設けられ、遊技球を所定個数を一単位として取り込む取込作動手段とを具備する球取込装置と
を具備するパチンコ遊技機用の遊技球を遊技媒体とするスロットマシンの、前記球取込装置の作動確認に用いられるものであって、
取込作動確認用の遊技球を貯留し、その球出口端から遊技球を流出可能な球貯留領域と、該球出口端を開閉する出口開閉手段とを具備する携帯可能な確認球貯留スティックと、
確認球貯留スティックを、その球出口端と球取込装置の球取込路とを連通して該球出口端から球取込路へ遊技球を流出可能とするように、該球取込装置に取り付けて保持するためのスティック保持手段と
を具備することを特徴とする作動確認用球供給装置。
【請求項２】
スティック保持手段が、
確認球貯留スティックの球出口端の周縁に形成された凹形状の嵌着口縁と、取込ケースの球取込口の周縁に形成され、確認球貯留スティックの凹形状の嵌着口縁と嵌着可能な凸形状の被嵌着口縁とを具備してなり、
嵌着口縁と被嵌着口縁とを嵌着した嵌着状態で、球出口端と球取込口とを連通して、取込ケースに確認球貯留スティックを保持するようにしたものである請求項１に記載の作動確認用球供給装置。
【請求項３】
確認球貯留スティックの出口開閉手段は、
球出口端の口縁端に固定される固定片部と、該固定片部から屈曲形成され、常態で球出口端の口内に突出して該球出口端で遊技球を係止する弾性片部とからなり、
球出口端の嵌着口縁が球取込口の被嵌着口縁に嵌着された場合に、前記弾性片部を該被嵌着口縁により球出口端の内周面側へ屈曲させ、該球出口端を遊技球の流出可能な開放状態とする板バネ状の開閉バネ部材から構成された請求項２に記載の作動確認用球供給装置。
【請求項４】
球取込装置の取込ケースが、取込作動手段の下流側で球取込路に連通する回収用開口と、該回収用開口を開閉する開閉片とを備えてなると共に、
開放状態の回収用開口に嵌入する回収嵌入部と、
該回収嵌入部に設けられ、回収用開口に嵌入された場合に球取込路内に位置して、取込作動手段により取り込まれた遊技球を流入する球回収口端と、
該球回収口端から流入した遊技球を留める回収球貯留領域と
を備えてなる球回収スティックを具備する請求項１乃至請求項３のいずれかに記載の作動確認用球供給装置。
【請求項５】
球取込装置の取込ケースが、取込作動手段の下流側で球取込路に連通する回収用開口と、該回収用開口を開閉する開閉片とを備えてなると共に、
確認球貯留スティックが、
開放状態の回収用開口に嵌入する回収嵌入部と、
該回収嵌入部に設けられ、スティック保持手段により球取込装置に保持された状態で、球取込路内に位置して、取込作動手段により取り込まれた遊技球を流入する球回収口端と、
該球回収口端から流入した遊技球を留めると共に、球貯留領域に連通する回収球貯留領域と
を備えてなる請求項１乃至請求項３のいずれかに記載の作動確認用球供給装置。
【請求項６】
スロットマシンは、球取込装置により取り込まれた遊技球を、球貯留皿の下方に配設された下部球貯留皿へ返却する返却通路と、機外へ排出する排出通路とのいずれか一方へ流下可能とするように流路変換する球通路変換手段を備えてなるものであって、
遊技球が返却通路へ流下可能となるように球通路変換手段を流路変換すると共に、球取込装置の取込作動手段により遊技球を取り込み、該遊技球を下部球貯留皿へ返却する保守用返却スイッチと、
遊技球が排出通路へ流下可能となるように球通路変換手段を流路変換すると共に、球取込装置の取込作動手段により遊技球を取り込み、該遊技球を機外へ排出する保守用作動スイッチと
を備えた保守用操作部が、開閉パネルの閉鎖状態で該開閉パネルにより被覆される部位に配設されてなる請求項１乃至請求項３のいずれかに記載の作動確認用球供給装置。
【請求項７】
スロットマシンは、球取込装置により取り込まれた遊技球を、球貯留皿の下方に配設された下部球貯留皿へ返却する返却通路と、機外へ排出する排出通路とのいずれか一方へ流下可能とするように流路変換する球通路変換手段を備えてなるものであって、
遊技球が返却通路へ流下可能となるように球通路変換手段を流路変換する保守用返却路スイッチと、球取込装置の取込作動手段により遊技球を取り込む保守用取込作動スイッチとを備えた保守用操作部が、開閉パネルの閉鎖状態で該開閉パネルにより被覆される部位に配設されてなる請求項４又は請求項５に記載の作動確認用球供給装置。
【請求項８】
球取込装置の取込作動手段が、取り込んだ遊技球を検知する取込球検知センサを備えてなり、
遊技球の取込途中で球取込装置の取込作動確認をする場合に、当該取込作動確認前に取り込まれ、前記取込球検知センサにより検知された遊技球の取込個数をリセットすると共に、該取込個数の遊技球を返却する取込球リセットスイッチを備えた保守用操作部が、開閉パネルの閉鎖状態で該開閉パネルにより被覆される部位に配設されてなる請求項１乃至請求項７のいずれかに記載の作動確認用球供給装置。
【請求項９】
入賞装置が配設された遊技盤を具備する遊技機本体の前面に開閉可能に設けられ、遊技球を貯留する球貯留皿を備えた開閉パネルと、
遊技機本体に設けられ、開閉パネルの閉鎖状態で、遊技盤に遊技球を案内する発射レール上の発射位置に順次供給される球貯留皿の遊技球を、該遊技盤へ打ち出す発射装置と
を具備するパチンコ遊技機の、前記発射装置の作動確認に用いられるものであって、
発射装置の発射作動確認用の遊技球を貯留し、その球出口端から遊技球を流出可能な球貯留領域と、該球出口端を開閉する出口開閉手段とを具備する携帯可能な確認球貯留スティックと、
確認球貯留スティックを、球出口端から発射位置へ遊技球を順次流出可能とする位置に保持するためのスティック保持手段と
を具備することを特徴とする作動確認用球供給装置。
【請求項１０】
スティック保持手段が、
確認球貯留スティックに設けられた嵌着部と、
発射装置に設けられ、確認球貯留スティックの嵌着部が嵌着された嵌着状態で、球出口端が発射位置に隣接して球貯留領域内の遊技球を発射位置へ順次流出可能とするように、確認球貯留スティックを保持する被嵌着部と
を備え、
前記嵌着部と被嵌着部の一方が凸形状を成し、他方が該凸形状を嵌入する凹形状を成すものとした請求項９に記載の作動確認用球供給装置。
【請求項１１】
確認球貯留スティックの出口開閉手段が、球出口端を開閉する流出口開閉片から構成されてなる請求項９又は請求項１０に記載の作動確認用球供給装置。
【請求項１２】
遊技機本体の、開閉パネルの閉鎖状態で被覆される部位に設けられ、発射装置を作動可能とすると共に、遊技盤の入賞装置への遊技球流入を無効とする保守用作動スイッチを備えている請求項９乃至請求項１１のいずれかに記載の作動確認用球供給装置。
【発明の詳細な説明】
【技術分野】
【０００１】
本発明は、パチンコ遊技機用の遊技球を遊技媒体とするスロットマシンの球取込装置を作動確認する場合に、該作動確認に用いる遊技球を球取込装置へ供給するための装置、及びパチンコ遊技機の発射装置を作動確認する場合に、該作動確認に用いる遊技球を発射装置へ供給するための装置に関する。
【背景技術】
【０００２】
遊技媒体として通常使用されるメダルの替わりに、パチンコ遊技機用の遊技球を遊技媒体とするスロットマシンが提案されている。かかるスロットマシンは、パチンコ遊技機と併存させて遊技場に備え付けることにより、一種類の遊技媒体でパチンコ遊技機とスロットマシンの両方を遊技可能となるため、遊技者の利便性を向上させることができる。また、パチンコ遊技機用の遊技島に取り付けて、パチンコ遊技機用の球供給装置や球回収装置を利用することができるため、遊技機の設備費や遊技媒体の管理費等を低減させることができる。
【０００３】
こうしたスロットマシンは、一般的に、取込用の遊技球を貯留する球貯留皿と、該球貯留皿の遊技球を取り込む球取込装置とを備えている。ここで、球貯留皿は、回転リールを配設した遊技機本体の前面に開閉可能に設けられた開閉パネルに配設されている。一方、球取込装置は、遊技機本体に配設され、開閉パネルの閉鎖状態で球貯留皿に設けられた取込口と連通する球取込口と、該球取込口からの遊技球が流下する球取込路とを具備する取込ケース、及び該取込ケースに設けられ、遊技球を所定個数を一単位として取り込む取込作動手段を具備してなる。
【０００４】
遊技場では、一般的にメダル一枚の価値よりも遊技球一個の価値が低く設定されているため、該メダルを遊技媒体とするスロットマシンがメダル一枚を最小賭数単位としていることに対して、遊技球を遊技媒体とするスロットマシンでは、例えば遊技球５個を最小賭数単位としている。例えば、最大賭数が三単位に設定されているスロットマシンにあっては、その球取込装置の取込作動手段が、一ゲーム毎に、賭数を一単位（最小単位）とした場合には５個、二単位とした場合には１０個、三単位（最大単位）とした場合には１５個の遊技球を球貯留皿から取り込む作動を行うように制御されている。
【０００５】
ここで、球取込装置の取込作動手段としては、例えばスプロケットを回動制御することにより、球貯留皿から遊技球を所定の取込個数まで一個毎繰返し連続して取り込む作動を行うようにしている構成が一般的である。また、例えば特許文献１のように、５個の遊技球を一度に取り込むように可動する可動部材を三つ設け、賭数単位毎に遊技球をほぼ同時的に取込可能とする取込作動手段を備えた構成も提案されている。尚、取込作動手段にあっては、取り込んだ遊技球を検知するセンサ等の検知装置も設けられており、遊技者が設定した賭数単位に相当する個数の遊技球を取り込んだか否かを確認するようにもなっている。
【０００６】
一方、一般的なパチンコ遊技機には、遊技球を貯留する球貯留皿と、該球貯留皿の遊技球を遊技盤面へ発射するための発射装置とを備えている。ここで、球貯留皿は、遊技盤を備えた遊技機本体の前面に開閉可能に設けられた開閉パネルに配設されている。発射装置は、遊技機本体に配設され、開閉パネルの閉鎖状態で、発射レール上の所定発射位置に供給された遊技球を打圧して、該遊技球を発射レールにより案内して遊技盤へ発射するものである。尚、この発射装置には、発射位置の遊技球を打圧する打圧強度を調整して遊技者が発射操作する発射ハンドルを備えていることが一般的である。また、開閉パネルの裏側には、球貯留皿と連通して、該球貯留皿内の遊技球を発射位置へ順次供給する球供給装置が配設されていることが一般的である（例えば、特許文献１）。
【０００７】
このようなパチンコ遊技機では、遊技者が発射ハンドルを操作することにより、球貯留皿から発射位置に順次供給された遊技球が遊技盤へ発射される。そして、発射された遊技球が遊技盤に配設された入賞装置へ流入することにより、所定の賞球が遊技者に払い出されるようになっている。
【特許文献１】特開２００４−３０５５４３号公報
【特許文献２】特開２００４−８９５８７号公報
【発明の開示】
【発明が解決しようとする課題】
【０００８】
ところで、上述したスロットマシンにあっては、その球取込装置が一ゲーム毎に複数個の遊技球を取り込む作動を行うことから、遊技中における該球取込装置の取込作動手段の可動率は比較的高い。このため、遊技球を取り込む作動時に、遊技球が流下して生じる振動や衝撃等によって、スプロケット等の部材に変形や欠損を生じたり、各部材の可動軸がズレたり、該スプロケットを駆動するための駆動装置との連結機構が外れたりする等の不具合を生じることもあり得る。さらには、長期間に蓄積される負荷により駆動装置に作動不良等を生じる不具合や異常の発生が懸念される。これは、上述した従来構成ように、一度に５個の遊技球を取り込むことができるものにあっても、その可動部材に一ゲーム毎に遊技球５個分に相当する負荷が生じるため、同様の不具合や異常の発生が懸念される。
【０００９】
上記したような球取込装置の不具合や異常が、遊技者の遊技中に発生すると、一旦遊技を中断して遊技場の係員によって当該球取込装置の修理や交換等が行われることとなる。そして、修理や交換等の後、球取込装置の取込作動手段が正常に作動するか否かを確認するために、開閉パネルの開放状態で、試験的に遊技球を取り込む作動を行い、正常に作動することを確認する取込作動確認を行う。
【００１０】
ここで、開閉パネルの開放状態で取込作動確認を行うためには、係員が手作業で遊技球を直接球取込装置へ入れなければならない。ところが、この球取込装置の、遊技球を流入する球取込口は、遊技球一個が通過する程度の大きさしかないため、係員が自らの手作業で遊技球を流入させる場合に、作業し難いと共に、誤って遊技球を落としてしまい易い。さらに、床に落ちた遊技球は紛失し易い。そして、この球取込装置の取込作動確認は、遊技球一個を取り込むだけでなく、通常、複数個の遊技球を正常に取り込むことができるか否かにより確認される。このため、遊技球を球取込口から流入させる手作業が複数回繰り返され、この作業毎に、遊技球を落としたり、落ちた遊技球を紛失することがあり得るから、この手作業は作業効率が低い。また、このように紛失した遊技球が後に拾われて遊技に使用されると、遊技場の不利益ともなり得る。また、球貯留皿の遊技球を使用した場合に、係員が誤って床面へ落としてしまい、落ちた遊技球が紛失すると、この遊技球は遊技者のものであるため、遊技場が遊技者へ補填する必要が生じる。さらに、この紛失した遊技球の個数が不明であると、遊技者との間でトラブルが生じることもあり得る。
【００１１】
一方、上述したパチンコ遊技機にあっては、発射装置が作動されて遊技球を遊技盤へ発射することにより遊技が進行するものであるから、この発射装置は遊技中、ほぼ連続的に可動している。このため、発射位置に在る遊技球を直接打圧する発射鎚等の部材に変形や欠損を生じたり、該発射鎚を駆動する駆動装置との連結機構にズレを生じる等の不具合や異常が発生することもあり得る。さらには、長期間に蓄積される負荷により駆動装置に作動不良等を生じることも懸念される。
【００１２】
このような発射装置の不具合や異常が、遊技者の遊技中に発生すると、一旦遊技を中断して遊技場の係員によって当該発射装置の修理や交換等が行われることとなる。そして、この修理や交換等の後、発射装置が正常に作動するか否かを確認するために、試験的に遊技球を発射する。この試験的な発射装置の駆動は、開閉パネルの開放状態で行い、係員が不具合や異常等を解消できたか否かをより明確に判断できるようにしている。
【００１３】
ここで、開閉パネルの開放状態では、発射レール上の発射位置に係員が手作業で遊技球を置かねばならない。この発射レールは遊技球一個分のレール幅しかないため、係員がこの発射位置に一個毎遊技球を置く手作業は、作業効率が低いと共に、遊技球を落としたり、落ちた遊技球を紛失することがあり得る。そして、これは上述したスロットマシンの取込作動確認の場合と同様、紛失した遊技球を使用されて遊技場が不利益を被ったり、取込作動確認に遊技者の遊技球を用いた場合に、これを紛失すると遊技場が補填する必要を生じたり、紛失した個数が不明であると遊技者との間にトラブルを生じ得る。
【００１４】
本発明は、かかる問題を解決するために発明されたものであり、遊技球を紛失する等して遊技者との間でトラブルが生じることなく、かつ、比較的容易に作動確認を行い得るスロットマシン及びパチンコ遊技機の作動確認用球供給装置を提案するものである。
【課題を解決するための手段】
【００１５】
本発明の第一発明としては、球貯留皿を備えた開閉パネルと、遊技機本体に配設された球取込装置とを具備するスロットマシンの、その球取込装置の作動確認に用いられるものであって、取込作動確認用の遊技球を貯留し、その球出口端から遊技球を流出可能な球貯留領域と、該球出口端を開閉する出口開閉手段とを具備する携帯可能な確認球貯留スティックと、確認球貯留スティックを、その球出口端と球取込装置の球取込路とを連通して該球出口端から球取込路へ遊技球を流出可能とするように、該球取込装置に取り付けて保持するためのスティック保持手段とを具備することを特徴とする作動確認用球供給装置である（請求項１）。
【００１６】
ここで、本発明にあって、球取込装置の取込作動確認は、球取込装置の取込作動手段が正常に遊技球を取り込むことができるか否かを、該取込作動手段を作動させることにより遊技場の係員等が確認することであり、該球取込装置に不具合や異常等が生じた場合に、これを修理・交換した後に主に行われる。そして、球取込装置が遊技球を正常に取り込めない不具合や異常等は、上述したように、取込作動手段を構成する構成部材の欠損や変形、該取込作動手段を構成する駆動装置の作動不良等が原因としてある。さらに、この駆動装置の作動不良は、装置自体の故障だけでなく、配線不良や、これを制御する制御不良等もあり得る。したがって、以下、これらを球取込装置の不具合や異常として扱っている。
【００１７】
かかる構成にあっては、開閉パネルの開放状態で、予め遊技球を貯留した確認球貯留スティックをスティック保持手段に従って球取込装置に取り付けて保持し、その球出口端を開放することにより、該スティック内の遊技球を球取込路へ供給できるようにしたものである。すなわち、球取込装置に不具合や異常等が生じた場合に、これを修理・交換した後、開閉パネルを開放したままの状態で、確認球貯留スティックを球取込装置に保持して該球取込装置を作動することによって、取込作動確認を行うことができ得る。このように、確認球貯留スティックを、その球出口端が球取込装置の球取込口と連通した状態で保持することにより、遊技球を容易かつ確実に球取込路へ流下させることができ、当該作動確認作業の作業効率が向上する。また、上述した従来構成のように、係員が手作業で遊技球を球取込装置の球取込口へ入れることを要しない。これにより、取込作動確認を行う場合に、遊技球を落下させたり、落下した遊技球を紛失することもなく、遊技者の遊技球を取込作動確認に使用して紛失してしまうことにより生ずる遊技者との間のトラブルや、紛失した遊技球を使用されることにより生ずる遊技場の不利益が発生しない。
【００１８】
本発明は、取込作動確認用の遊技球を貯留する確認球貯留スティックから遊技球を供給するようにした構成であるから、取込作動確認に球貯留皿内の遊技球を用いることがなく、球貯留皿に遊技球を保持したまま、不具合等の修理及び取込作動確認を行うことも可能である。したがって、遊技中に発生した不具合や異常を修理等した後、取込作動手段の作動確認すると、遊技者は直ぐに遊技を再開することができるという優れた利点もある。
【００１９】
尚、上述した出口開閉手段としては、例えば、球出口端を開閉する開閉片を、手動又は電動で開閉可能とする構成や、球取込装置の球取込口に球出口端が連通する形態とすることにより自動的に開閉する構成等を用い得る。さらに、前記開閉片としては、蓋状のものや扉状のもの等を用いることができる。また、スティック保持手段としては、例えば、互いに嵌着可能な凹形状と凸形状の部位を、確認球貯留スティックと球取込装置に夫々に設ける構成や、所定の磁石等により磁着させる構成等を用いることができる。
【００２０】
上記した確認球貯留スティックにあっては、その球貯留領域に遊技球を補充する手段として、球出口端を出口開閉手段により開放して遊技球を補充するようにしても良いし、球出口端とは別に、球貯留領域へ遊技球を入れるための補充口を設けるようにしても良い。ここで、この流出口を設ける場合には、該流出口を開閉する開閉片等を設ける構成が好適である。
【００２１】
上述したスロットマシンの作動確認用球供給装置にあって、スティック保持手段が、確認球貯留スティックの球出口端の周縁に形成された凹形状の嵌着口縁と、取込ケースの球取込口の周縁に形成され、確認球貯留スティックの凹形状の嵌着口縁と嵌着可能な凸形状の被嵌着口縁とを具備してなり、嵌着口縁と被嵌着口縁とを嵌着した嵌着状態で、球出口端と球取込口とを連通して、取込ケースに確認球貯留スティックを保持するようにした構成が提案される（請求項２）。
【００２２】
かかる構成にあっては、確認球貯留スティックの球出口端の嵌着口縁を、球取込装置の球取込口の被嵌着口縁に嵌着することにより、確認球貯留スティックを球取込装置に取り付けて保持するようにしたものである。そして、このように嵌着口縁と被嵌着口縁とが嵌着することにより、球出口端と球取込口とが連通した状態に保持されることから、確認球貯留スティック内の遊技球を、確実に球取込路へ供給することができる。また、被嵌着口縁に嵌着している嵌着口縁を、該被嵌着口縁から脱嵌することにより、確認球貯留スティックを球取込装置から取り外すことができる。したがって、確認球貯留スティックは球取込装置に容易に着脱可能であり、球取込装置の取込作動確認を行う場合の作業効率が一層向上する。
【００２３】
ここで、確認球貯留スティックの出口開閉手段は、球出口端の口縁端に固定される固定片部と、該固定片部から屈曲形成され、常態で球出口端の口内に突出して該球出口端で遊技球を係止する弾性片部とからなり、球出口端の嵌着口縁が球取込口の被嵌着口縁に嵌着された場合に、前記弾性片部を該被嵌着口縁により球出口端の内周面側へ屈曲させ、該球出口端を遊技球の流出可能な開放状態とする板バネ状の開閉バネ部材から構成されるものとする（請求項３）。
【００２４】
かかる構成にあっては、確認球貯留スティックの嵌着口縁を球取込装置の被嵌着口縁に脱着することに従って、球出口端を開閉することができるようにしたものである。すなわち、確認球貯留スティックが球取込装置に取り付けられていない常態では、開閉バネ部材の弾性片部が球出口端で遊技球を係止して、該遊技球を球貯留領域内に確実に保持できる。そして、確認球貯留スティックが、その嵌着口縁を被嵌着口縁に嵌着して球取込装置に取り付けられると、この開閉バネ部材は、開閉バネ部材の弾性片部が被嵌着口縁により球出口端の内周面側へ押し付けられて弾性的に屈曲変形する。これにより、嵌着状態で、球出口端が開放状態となる。このように、確認球貯留スティックの球取込装置への脱着に伴って開閉バネ部材を連動させ、球出口端を開閉することができる。したがって、この確認球貯留スティックは、その携帯時に遊技球を確実に貯留でき、球取込装置に取り付けることにより、遊技球を確実に貯留することができる。そして、球出口端を開閉させる作業を要しないことから、取込作動確認の作業効率をさらに向上し得る。
【００２５】
また、上述したスロットマシンの作動確認用球供給装置にあって、球取込装置の取込ケースが、取込作動手段の下流側で球取込路に連通する回収用開口と、該回収用開口を開閉する開閉片とを備えてなると共に、開放状態の回収用開口に嵌入する回収嵌入部と、該回収嵌入部に設けられ、回収用開口に嵌入された場合に球取込路内に位置して、取込作動手段により取り込まれた遊技球を流入する球回収口端と、該球回収口端から流入した遊技球を留める回収球貯留領域とを備えてなる球回収スティックを具備する構成が提案される（請求項４）。
【００２６】
かかる構成にあっては、球取込装置の取込作動手段により取り込まれた遊技球を、該球取込装置の下流方向へ流下させず、球回収スティックを該球取込装置に取り付けることによって回収するようにしたものである。したがって、球取込装置の取込作動確認を行う場合に、上述した確認球貯留スティックを球取込装置に取り付けると共に、球回収スティックを球取込装置に取り付けることにより、該確認球貯留スティックから流下して取込作動手段によって取り込まれた遊技球を、球回収スティックにより回収することができる。このように球回収スティックにより遊技球を回収することにより、確認球貯留スティックの遊技球が、取込作動確認時に、誤って遊技者に渡ってしまうことを確実に防止できる。
【００２７】
尚、球回収スティックにより遊技球を回収する場合以外は、回収用開口を開閉片で閉鎖して保持することにより、取り込んだ遊技球を球取込装置から正常に流下させ得るようになっている。この開閉片としては、蓋状のものや扉状のもの等が好適に用いることができ、さらに、手動で開閉するもの、電動で開閉するもの、又は、球回収スティックの回収嵌入部を嵌入することにより開放するもの等の構成を用い得る。
【００２８】
そして、このように取込作動確認に用いる遊技球を確実に回収できることにより、例えば、確認用の遊技球を、通常の遊技球と区別可能とするように、特別な色を付けることもできる。これにより、仮に確認用の遊技球が紛失しても、遊技に使用されれば直ぐに分かるため、遊技場が損失を被ることを防止でき得る。
【００２９】
一方、球取込装置の取込ケースが、取込作動手段の下流側で球取込路に連通する回収用開口と、該回収用開口を開閉する開閉片とを備えてなると共に、確認球貯留スティックが、開放状態の回収用開口に嵌入する回収嵌入部と、該回収嵌入部に設けられ、スティック保持手段により球取込装置に保持された状態で、球取込路内に位置して、取込作動手段により取り込まれた遊技球を流入する球回収口端と、該球回収口端から流入した遊技球を留めると共に、球貯留領域に連通する回収球貯留領域とを備えてなる構成が提案される（請求項５）。ここで、確認球貯留スティックは、球取込装置に取り付け保持された状態で、その球出口端を球取込装置の球取込口と連通すると共に、球回収口端が球取込路内に位置するようになっている。
【００３０】
かかる構成にあっては、確認球貯留スティックが、その球出口端から球取込装置に供給した遊技球を、取込作動手段により取り込んだ後に、回収できるようにしたものであり、球取込装置に保持することにより、遊技球の供給と回収とを一度に行い得る。さらに、回収した遊技球を、確認球貯留スティック内で、球回収領域から球貯留領域へ移送することができる。これにより、予め球貯留領域に貯留した遊技球は、取込作動確認によって減じることがないから、作動確認用の遊技球を補充する作業を要しない。
【００３１】
ここで、回収用開口を開口する開閉片としては、上述した構成（請求項４）と同様のものを用いることができ、同じ作用効果を発揮し得る。
【００３２】
また、スロットマシンは、球取込装置により取り込まれた遊技球を、球貯留皿の下方に配設された下部球貯留皿へ返却する返却通路と、機外へ排出する排出通路とのいずれか一方へ流下可能とするように流路変換する球通路変換手段を備えてなるものであって、遊技球が返却通路へ流下可能となるように球通路変換手段を流路変換すると共に、球取込装置の取込作動手段により遊技球を取り込み、該遊技球を下部球貯留皿へ返却する保守用返却スイッチと、遊技球が排出通路へ流下可能となるように球通路変換手段を流路変換すると共に、球取込装置の取込作動手段により遊技球を取り込み、該遊技球を機外へ排出する保守用作動スイッチとを備えた保守用操作部が、開閉パネルの閉鎖状態で該開閉パネルにより被覆される部位に配設されてなる構成が提案される（請求項６）。
【００３３】
かかる構成にあっては、開閉パネルを開放した状態で、保守用返却スイッチをオン操作することにより、球取込装置の球取込路に残留する遊技者の遊技球を下部球貯留皿へ返却することができる。さらに、保守用作動スイッチをオン操作することにより、確認球貯留スティックから球取込路へ流下した遊技球を取り込むという取込作動確認を行うことができると共に、該遊技球を機外へ排出することにより、取込作動確認用の遊技球を遊技場が確実に回収できるようにしている。また、この保守用操作部は、開閉パネルの閉鎖状態で被覆される部位に設けられていることから、該開閉パネルを開放した状態での各スイッチの操作性に優れる。したがって、遊技場の係員は、球取込装置の取込作動に不具合や異常が生じた場合に、開閉パネルを開放したままの状態で保守用操作部の各スイッチを夫々操作することにより、当該不具合や異常の原因究明や修理後の取込作動確認を一層容易かつ確実に行うことができ得る。
【００３４】
又は、スロットマシンは、球取込装置により取り込まれた遊技球を、球貯留皿の下方に配設された下部球貯留皿へ返却する返却通路と、機外へ排出する排出通路とのいずれか一方へ流下可能とするように流路変換する球通路変換手段を備えてなるものであって、遊技球が返却通路へ流下可能となるように球通路変換手段を流路変換する保守用返却路スイッチと、球取込装置の取込作動手段により遊技球を取り込む保守用取込作動スイッチとを備えた保守用操作部が、開閉パネルの閉鎖状態で該開閉パネルにより被覆される部位に配設されてなる構成（請求項７）が提案される。かかる構成は、上述した球回収スティックを用いて遊技球を回収するようにした場合に用い得る。
【００３５】
かかる構成にあっては、開閉パネルを開放した状態で、球取込装置の球取込路に遊技球が残留する場合に、保守用返却路スイッチと保守用取込作動スイッチとがオン操作されることにより、この遊技者の遊技球を返却することができる。そして、上記した請求項４の構成にあって、確認球貯留スティックと球回収スティックとが球取込装置に保持されている場合、又は、上記した請求項５の構成にあって、確認球貯留スティックが球取込装置に保持されている場合に、保守用取込作動スイッチがオン操作されることにより、取込作動手段を駆動して取込作動確認を行うことができる。また、上記した請求項６の構成と同様に、この保守用操作部は、開閉パネルを開放した状態での各スイッチの操作性に優れ、球取込装置の取込作動に不具合や異常が生じた場合に、開閉パネルを開放したままの状態で遊技場の係員が保守用操作部の各スイッチを夫々操作して、当該不具合や異常の原因究明や修理後の取込作動確認を一層容易かつ確実に行うことができ得る。
【００３６】
また、球取込装置の取込作動手段が、取り込んだ遊技球を検知する取込球検知センサを備えてなり、遊技球の取込途中で球取込装置の取込作動確認をする場合に、当該取込作動確認前に取り込まれ、前記取込球検知センサにより検知された遊技球の取込個数をリセットすると共に、該取込個数の遊技球を返却する取込球リセットスイッチを備えた保守用操作部が、開閉パネルの閉鎖状態で該開閉パネルにより被覆される部位に配設されてなる構成（請求項８）が提案される。  
【００３７】
球取込装置に発生する不具合や異常等は、遊技中、例えば遊技者の設定した賭数単位の遊技球を取り込んでいる途中に発生することもあり得る。この場合には、不具合や異常から復帰した後に、該不具合の発生直前に記憶された遊技球の記録を消去して、新たな遊技から再開されることが遊技者にとって望ましいものと言える。このため、かかる構成にあっては、この取込途中で生じた不具合や異常を修理する場合に、取込球リセットスイッチが操作されることにより、この直前に記憶した遊技球数をリセットすると共に、この取り込んだ遊技球を返却するようにしたものである。これにより、遊技者は、不具合や異常が解消された後に、新たな遊技から再開できる。
【００３８】
一方、本発明の第二発明としては、球貯留皿を備えた開閉パネルと、遊技機本体に配設された発射装置とを具備するパチンコ遊技機の、その発射装置の作動確認に用いられるものであって、発射装置の作動確認用の遊技球を貯留し、その球出口端から遊技球を流出可能な球貯留領域と、該球出口端を開閉する出口開閉手段とを具備する携帯可能な確認球貯留スティックと、確認球貯留スティックを、球出口端から発射位置へ遊技球を順次流出可能とする位置に保持するためのスティック保持手段とを具備することを特徴とする作動確認用球供給装置ものである（請求項９）。
【００３９】
ここで、本発明にあって、発射装置の発射作動確認は、発射装置が発射位置に在る遊技球を正常に発射することができるか否かを、該発射装置を作動させることにより遊技場の係員等が確認することであり、この発射装置に不具合や異常等が生じた場合に、これを修理・交換した後に主に行われる。そして、発射装置が遊技球を正常に発射できない不具合や異常等は、上述したように、発射装置を構成する構成部材の欠損や変形、その駆動装置の作動不良等が原因としてある。さらに、この駆動装置の作動不良は、装置自体の故障だけでなく、配線不良や、これを制御する制御不良等もあり得る。したがって、以下、これらを発射装置の不具合や異常として扱っている。
【００４０】
かかる構成にあっては、開閉パネルの開放状態で、予め遊技球を貯留した確認球貯留スティックを、スティック保持手段によりその球出口端から発射位置へ遊技球が流出可能な位置に取り付けて保持し、その球出口端を開放することにより、該スティック内の遊技球を発射レール上の発射位置へ供給できるようにしたものである。すなわち、発射装置に不具合や異常が生じた場合に、これを修理・交換した後、開閉パネルを開放したままの状態で、確認球貯留スティックを発射位置へ遊技球を供給する位置に保持し、該発射装置を駆動することによって、当該発射装置の発射作動確認を行うことができる。これにより、遊技球を発射位置へ正確かつ容易に供給でき、作動確認作業の作業効率を向上させ得る。また、従来構成のように係員が手作業で遊技球を発射位置に配することもないから、遊技球を落下させたり、落下した遊技球を紛失することも生ぜず、遊技者の遊技球を取込作動確認に使用して紛失してしまうことにより生ずる遊技者との間のトラブルや、紛失した遊技球を使用されることにより生ずる遊技場の不利益が発生しない。
【００４１】
このように本第二発明は、上述した第一発明の、スロットマシンの球取込装置の取込作動確認に用いられる作動確認用球供給装置を、パチンコ遊技機の発射装置の発射作動確認に適応させたものである。したがって、上述した第一発明同様に、球貯留皿に遊技球を保持したまま不具合等の修理及び作動確認を行うことができ、該作動確認後直ぐに遊技を再開でき得る。また、出口開閉手段にあっても、手動又は電動で開閉する開閉片を設ける構成等を用い得る。さらに、スティック保持手段にあっても、互いに嵌着可能な凹形状と凸形状の部位を互いに設ける構成や、所定の磁石等により磁着させる構成等を用い得る。さらにまた、確認球貯留スティックには、遊技球を補充するための補充口を開閉可能とするように設けることもでき得る。
【００４２】
また、確認球貯留スティックを保持する位置としては、球出口端が発射位置に隣接し、該球出口端から流出して発射位置に在る遊技球により、次の遊技球を球出口端から流出しないように係止できるようにした位置が好適である。これにより、球出口端を開放した状態で確認球貯留スティックを保持すれば、発射装置が遊技球を発射する毎に、遊技球が順次発射位置へ供給されることから、連続的に遊技球を発射することが可能である。
【００４３】
ここで、スティック保持手段が、確認球貯留スティックに設けられた嵌着部と、発射装置に設けられ、確認球貯留スティックの嵌着部が嵌着された嵌着状態で、球出口端が発射位置に隣接して球貯留領域内の遊技球を発射位置へ順次流出可能とするように、確認球貯留スティックを保持する被嵌着部とを備え、前記嵌着部と被嵌着部の一方が凸形状を成し、他方が該凸形状を嵌入する凹形状を成すものとした構成（請求項１０）が提案される。
【００４４】
かかる構成にあっては、確認球貯留スティックに設けた嵌着部を、発射装置に設けた被嵌着部に嵌着することにより、確認球貯留スティック内の遊技球が、球出口端から発射位置に容易かつ確実に移ることができるようにしたものである。そして、嵌着部と嵌着する被嵌着部が、発射装置の、球出口端を発射位置に隣接して保持する位置に設けられている。したがって、確認球貯留スティックの嵌着部を発射装置の被嵌着部に嵌着して保持することにより、該確認球貯留スティック内の遊技球を、発射位置に正確かつ確実に供給することができる。また、嵌着部と被嵌着部とが、凹形状と凸形状とにより構成して嵌着するものとしたから、確認球貯留スティックの着脱作業を比較的容易に行うことができ、発射装置の発射作動確認を行う場合の作業効率が一層向上する。
【００４５】
また、上述したパチンコ遊技機の作動確認用球供給装置にあって、確認球貯留スティックの出口開閉手段が、該球出口端を開閉する流出口開閉片から構成されてなるもの（請求項１１）が提案される。
【００４６】
かかる構成にあっては、球出口端を開閉する流出口開閉片を設けることにより、該球出口端を開放状態と閉鎖状態とに変換可能としたものである。そして、流出口開閉片により球出口端を閉鎖することにより、貯留した遊技球を落とすことなく確認球貯留スティックを携帯することができると共に、流出口口開閉片を開放することにより、確認球貯留スティックを発射装置に保持した場合に、球出口端から発射位置へ遊技球を順次流出させることができる。このような流出口開閉片は、比較的簡素な構成により実現できると共に、容易に開閉作業することができ得るものである。ここで、流出口開閉片は、自動的に開閉作動する構成、係員が手動で開閉する構成のいずれとすることも可能である。
【００４７】
また、上述したパチンコ遊技機の作動確認用球供給装置にあって、遊技機本体の、開閉パネルの閉鎖状態で被覆される部位に設けられ、発射装置を作動可能とすると共に、遊技盤の入賞装置への遊技球流入を無効とする保守用作動スイッチを備えた構成（請求項１２）が提案される。
【００４８】
かかる構成にあっては、開閉パネルの開放状態で操作可能となる保守用作動スイッチを設け、該保守用作動スイッチのオン操作によって、発射装置の発射作動確認を行い得るようにしたものである。そして、この発射作動確認では、発射された遊技球が入賞装置に流入しても、この入賞を無効としていることから、当該保守作業と遊技とを完全に区別している。而して、この保守用作動スイッチの操作により、発射装置の作動確認だけを正確かつ容易に行うことができる。また、この保守用作動スイッチは、開閉パネルの閉鎖状態で被覆される部位に設けられていることから、該開閉パネルを開放した状態での操作性に優れる。
【発明の効果】
【００４９】
本第一発明は、取込作動確認用の遊技球を貯留する球貯留領域と該球貯留領域内の遊技球を流出する球出口端を開閉する出口開閉手段とを具備する携帯可能な確認球貯留スティックと、確認球貯留スティックを、その球出口端と球取込装置の球取込路とを連通して該球出口端から球取込路へ遊技球を流出可能とするように、該球取込装置に保持するためのスティック保持手段とを具備し、スロットマシンの球取込装置の取込作動確認に用いる作動確認用球供給装置であるから（請求項１）、球取込装置に発生した不具合や異常等を修理した後、開閉パネルを開放したままの状態で、確認球貯留スティックを球取込装置に取り付けて保持することにより、該確認球貯留スティックの遊技球を用いて取込作動確認を行うことができる。このため、上述した従来構成のように係員の手作業で遊技球を球取込装置に入れる必要もなく、比較的容易かつ確実に取込作動確認を行うことができる。さらに、取込作動手段の作動確認時に遊技球の落下や紛失もないため、遊技者の遊技球を紛失することによるトラブルや、紛失した遊技球を使用されることによる遊技場の不利益も発生しない。
【００５０】
上記のスティック保持手段が、確認球貯留スティックの球出口端の周縁に形成された凹形状の嵌着口縁と、取込ケースの球取込口の周縁に形成され、確認球貯留スティックの凹形状の嵌着口縁と嵌着可能な凸形状の被嵌着口縁とを具備する構成とした場合には（請求項２）、嵌着口縁と被嵌着口縁とを嵌着することにより、確認球貯留スティックの遊技球を球取込路へ正確かつ確実に供給できると共に、該確認球貯留スティックを球取込装置に容易に着脱することができ、作業効率も向上する。
【００５１】
ここで、確認球貯留スティックの出口開閉手段が、球出口端に固定される固定片部から屈曲形成された弾性片部が、常態で球出口端の口内に突出して該球出口端で遊技球を係止し、嵌着口縁と被嵌着口縁とが嵌着される場合に、球出口端の内周面側へ屈曲して該球出口端を開放する開閉バネ部材から構成されるものとした場合には（請求項３）、確認球貯留スティックの球取込装置への着脱に伴って球出口端が開閉され、携帯時の遊技球貯留と、球取込装置への保持時の遊技球流出とが確実に行われる。そして、球出口端を開閉させる作業を要せず、取込作動確認の作業効率をさらに向上し得る。
【００５２】
また、上述したスロットマシンの作動確認用球供給装置は、球取込装置の取込ケースが回収用開口と該回収用開口を開閉する開閉片とを具備すると共に、開放状態の回収用開口に嵌入され、取込作動手段により取り込まれた遊技球を球回収口端から回収して貯留する回収球貯留領域を備えた球回収スティックを具備する構成とした場合には（請求項４）、取込作動確認時に、確認球貯留スティックから供給されて取込作動手段により取り込まれた遊技球を、球回収スティックで確実に回収することができる。したがって、取込作動確認用の遊技球が、誤って遊技者へ渡ってしまうことを防止できる。
【００５３】
また、スロットマシンの作動確認用球供給装置は、球取込装置の取込ケースが回収用開口と該回収用開口を開閉する開閉片とを具備すると共に、確認球貯留スティックが、開放状態の回収用開口に嵌入され、取込作動手段により取り込まれた遊技球を球回収口端から回収して貯留する回収球貯留領域を具備する構成とした場合には（請求項５）、この確認球貯留スティックを球取込装置へ取り付けることにより、取込作動確認用の遊技球を供給できることと、取込作動確認に用いた遊技球を回収することとの両方を行うことができる。また、取込作動確認で球貯留領域から流出した遊技球は、回収球貯留領域を介して戻ることとなるから、作動確認用の遊技球を補充する作業を要しない。
【００５４】
また、スロットマシンが、返却通路と排出通路とのいずれか一方へ遊技球を流下可能に変換する球通路変換手段を備えてなり、開閉パネルにより被覆される部位に設けた保守用操作部に、該球通路変換手段を返却通路に変換すると共に、取込作動手段を作動する保守用返却スイッチと、球通路変換手段を排出通路に変換すると共に、取込作動手段を作動する保守用作動スイッチと配設した構成にあっては（請求項６）、球取込装置に不具合や異常等が生じた場合に、遊技者の遊技球を下部球貯留皿へ返却することと、確認球貯留スティックの遊技球を回収することとを、保守用操作部の各スイッチ操作により容易かつ確実に行い得る。また、開閉パネルを開放したままの状態で、保守用操作部の各スイッチを操作し易く、取込作動確認を一層容易かつ適正に行い得る。
【００５５】
一方、上述したように取込作動確認に用いた遊技球を回収するようにした構成にあって、スロットマシンが、返却通路と排出通路とのいずれか一方へ遊技球を流下可能に変換する球通路変換手段を備えてなり、開閉パネルにより被覆される部位に設けた保守用操作部に、該球通路変換手段を返却通路に変換する保守用返却路スイッチと、球取込装置の取込作動手段により遊技球を取り込む保守用取込作動スイッチとを配設した場合には（請求項７）、球取込装置に不具合や異常等が生じた場合に、保守用返却路スイッチ及び保守用取込作動スイッチの操作により、球取込装置内に残留する遊技者の遊技球を返却することができる。そして、取込作動確認に用いた遊技球をを行う場合に、保守用取込作動スイッチを操作することにより、球取込口から流入した遊技球を取り込み、当該遊技球を回収できる。そして、開閉パネルを開放したままの状態で、保守用操作部の各スイッチを操作し易く、取込作動確認を一層容易かつ適正に行い得る。
【００５６】
また、球取込装置の取込作動手段が取込球検知センサを備えてなり、保守用操作部に、取込途中の遊技球の個数をリセットすると共に、該取込途中の遊技球を返却する取込球リセットスイッチを配設した構成にあっては（請求項８）、この取込球リセットスイッチが操作されることにより、不具合や異常の修理後に、遊技者は新たな遊技から再開できる。
【００５７】
本第二発明は、発射装置の作動確認用の遊技球を貯留し、その球出口端から遊技球を流出可能な球貯留領域と該球出口端を開閉する出口開閉手段とを備えた携帯可能な確認球貯留スティックと、確認球貯留スティックを、球出口端から発射位置へ遊技球を順次流出可能とする位置に保持するためのスティック保持手段とを具備し、パチンコ遊技機の発射装置の作動確認に用いる作動確認用球供給装置であるから（請求項９）、発射装置に発生した不具合や異常等を修理した後、開閉パネルを開放したままの状態で確認球貯留スティックから遊技球を発射位置へ供給することにより、該発射装置の作動確認を行い得る。したがって、発射装置の作動確認を行う場合に、比較的容易かつ確実に遊技球を発射位置へ供給できる。さらに、この作動確認時に、遊技球を紛失することもないから、該紛失により生ずるトラブルや不利益が発生しない。
【００５８】
ここで、スティック保持手段が、確認球貯留スティックに設けられた嵌着部と、該嵌着部と嵌着可能とし、該嵌着状態で、球出口端から発射位置へ遊技球を順次供給可能とするように、発射装置に設けられた被嵌着部とから構成されてなるものにあっては（請求項１０）、確認球貯留スティックを発射装置に着脱する作業が比較的容易に行うことができ、発射装置の発射作動確認を行う場合の作業効率が一層向上する。
【００５９】
また、上述した確認球貯留スティックの出口開閉手段が、球出口端を開閉する流出口開閉片から構成されてなるものとした場合には（請求項１１）、流出口開閉蓋を脱着可能に設けるという比較的簡素な構成によって、球出口端を開閉することができ、かつこの開閉作業は容易な操作により行い得る。
【００６０】
一方、遊技機本体の開閉パネルの閉鎖状態で被覆される部位に、発射装置を作動可能とすると共に、遊技盤の入賞装置への遊技球流入を無効とする保守用作動スイッチを備えた構成にあっては（請求項１２）、保守用作動スイッチを操作することにより、開閉パネルを開放したままの状態で、発射装置の作動確認のみを適正に行い得る。また、開閉パネルを開放したままの状態で、保守用操作部の各スイッチを操作し易く、取込作動確認を一層容易かつ適正に行い得る。
【発明を実施するための最良の形態】
【００６１】
本発明の実施形態を、以下の実施例に従って説明する。
実施例１〜３は、スロットマシン１の球取込装置５０，８０を取込作動確認する場合に用いる作動確認用球供給装置の具体例を夫々示したものである。一方、実施例４は、パチンコ遊技機１０１の発射装置１５０を発射作動確認する場合に用いる作動確認用球供給装置の具体例を示したものである。以下、各実施例に従って詳細に説明する。
【実施例１】
【００６２】
本発明にかかるスロットマシン１は、パチンコ遊技機用の遊技球を遊技媒体とするものであって、図１に示すように、パチンコ遊技機用の遊技島（図示省略）に固定される木製の外枠２と、該外枠２にヒンジ部材１６を介して開閉可能に枢着する遊技機本体３とからなる。ここで、外枠２は、板材を矩形枠状に組み付けて、一般的なパチンコ遊技機の木製外枠と同一形状に形成されてなる。
【００６３】
遊技機本体３は、図１〜図３に示すように、ヒンジ部材１６を介して外枠２に直接枢着する前枠４と、該前枠４の上半分に配設され、前面に意匠板６が設けられた遊技盤７と、該遊技盤７の背面側に設けられ、該意匠板６の前面に左右方向に並んで形成された三つの表示窓８ａ〜８ｃから夫々に視認可能とする三つの回転リール３０ａ〜３０ｃを備えたリールユニット３１と、前枠４の背面側に開閉可能に取り付けられる裏機構板５等により構成される。
【００６４】
上記した遊技盤７の裏側に配設されたリールユニット３１は、図柄表示装置を構成するものであり、三つの回転リール３０ａ〜３０ｃと、各回転リール３０ａ〜３０ｃを夫々駆動するための複数のリール駆動モータ（図示省略）とを、堅牢な収納フレーム３２の所定位置に組み付けてユニット化してなる。そして、各回転リール３０ａ〜３０ｃの外周面には多種類の図柄（図示省略）が適宜間隔で配列されている。この回転リール３０ａ〜３０ｃの図柄を上述した表示窓８ａ〜８ｃに表出し得る状態で、リールユニット３１が遊技盤７に配設されている。また、リールユニット３１の各リール駆動モータは、該モータを回転制御する表示制御基板Ｃ（図５参照）と配線（図示省略）を介して接続されている。
【００６５】
前枠４の前面下部には下部球貯留皿１３が配設されており、また該下部球貯留皿１３内を臨む位置には球返却口１４が形成されている。この下部球貯留皿１３には、後述する上部球貯留皿１５からオーバーフローする遊技球や上部球貯留皿１５から移される遊技球が球返却口１４から流入して貯留される。
【００６６】
一方、遊技機本体３の前枠４の前面側には、図３のように、該前枠４の上半分を覆うように、ヒンジ部材（図示省略）により一側縁が枢結された前扉１７が開閉可能に取り付けられている。この前扉１７は、ガラス又は合成樹脂からなる透明な被覆板が嵌め込まれた窓部１８を備えており、該窓部１８から上述した表示窓８ａ〜８ｃに表出する回転リール３０ａ〜３０ｃの図柄等を視認し得るようになっている。また、窓部１８の直下にはカード操作部２１が配設されており、この各ボタンが操作されることにより、貸球等が行われる。
【００６７】
また、上記前扉１７の直下には、遊技機本体３の前枠４に対して開閉可能となるように、前扉１７と同様に一側縁をヒンジ部材（図示省略）により枢結された開閉パネル１０が設けられている。尚、この開閉パネル１０は、上述した下部球貯留皿１３の直上に位置している。
【００６８】
この開閉パネル１０は、前方へ突出する樹脂製の上皿部材１２と、前枠４に枢結されたヒンジ部材２９を設けたパネル部材１１（図１２参照）とから構成されている。そして、この上皿部材１２には、上方に開口し、遊技球を貯留する上部球貯留皿１５が設けられている。この上部球貯留皿１５には、払出装置２６（図４，図５参照）から払い出される遊技球を排出する球払出口４７が、正面視左側端部に開口されている。さらに、正面視右側端部には、この上部球貯留皿１５内に貯留する遊技球を機内に取り込む取込口２０（図１２参照）が、パネル部材１１の裏面側に貫通するように設けられている。また、この取込口２０を下流端として、左右方向に沿って遊技球を一列に整列する整列路１９が設けられている。この整列路１９は、その上流端から下流端に向かって下方へ緩やかに傾斜していると共に、下流端は奥方へ下方傾斜するように形成されており、遊技球が整列路１９から順次取込口２０へ流入するようになっている。
【００６９】
この開閉パネル１０に設けられた上部球貯留皿１５が、本発明にかかる球貯留皿である。
【００７０】
また、上記した開閉パネル１０の上皿部材１２には、その前面に、正面視左側から、スタートレバー４１、停止ボタン４３ａ〜４３ｃが並設されており、停止ボタン４３ｃの右側には、キャンセルボタン４６と放出ボタン４５とが上下に並んで設けられている。さらに、上皿部材１２の右側上面には、１ＢＥＴボタン４２ａとＭＡＸＢＥＴボタン４２ｂとが夫々配設されている。そして、遊技者がこれらのレバーやボタンを操作することにより、遊技が実行される。これらレバーやボタンは、一般的に周知な構成であるため説明を省略する。
【００７１】
一方、遊技機本体３には、図３のように、上記した開閉パネル１０により前面を覆われる部位に、該開閉パネル１０の閉鎖状態で、該開閉パネル１０の取込口２０（図１２参照）から遊技球を取り込む球取込装置５０が配設されている。そして、この球取込装置５０により取り込まれた遊技球は、球通路変換装置３６を介して、上述した下部球貯留皿１３の球返却口１４に連通する返却通路３７、機外の球回収装置（図示省略）に連通する排出通路３８のいずれかへ流下するようになっている。このように遊技球を上部球貯留皿１５から取り込む構成については、後述する。
【００７２】
また、前枠４の背面側には、図２，図４に示すように、一側縁が枢結された裏機構板５が開閉可能に取り付けられている。この裏機構板５の背面には、基板ユニット２７が装着されており、該基板ユニット２７には、電子回路が組み込まれた複数の基板Ａ〜Ｆ（図５参照）が内蔵されている。また、この裏機構板５の上部には、遊技島の球供給装置（図示省略）から遊技球の供給を受ける球タンク２３が設けられる。この球タンク２３は、裏機構板５の側部に形成される払出通路２４を介して、上部球貯留皿１５の球払出口４７や、下部球貯留皿１３の球返却口１４と連通しており、該払出通路２４の中途位置に設けられた払出装置２６が作動すると、球タンク２３側に位置する所定数の遊技球が、上部球貯留皿１５や下部球貯留皿１３へ払い出される。
【００７３】
上述した構成にあって、原則、以下のように遊技が進行する。
遊技者が、賭数を設定することが可能な所定期間に、１ＢＥＴボタン４２ａ又はＭＡＸＢＥＴボタン４２ｂをボタン操作することにより賭数が設定され、この賭数単位に応じて上部球貯留皿１５から遊技球が所定個数取り込まれると共に、所定の入賞ラインランプ（図示省略）が点灯して有効ラインを報知する。ここで、本実施例にあっては、賭数一単位毎に遊技球が５個取り込まれるように設定されている。すなわち、一単位（最小賭数単位）では５個、二単位では１０個、三単位（最大賭数単位）では１５個の遊技球を取り込むように設定されている。このように賭数が設定されると、次に回転リール３０ａ〜３０ｃを回転始動することができる期間となり、遊技者がスタートレバー４１を押し下げると、全リール３０ａ〜３０ｃが一斉に回転始動する。回転リール３０ａ〜３０ｃの回転速度が一定となると、次に回転リール３０ａ〜３０ｃを回転停止することができる期間となる。そして、遊技者が停止ボタン４３ａ〜４３ｃを順にボタン操作することにより、その操作タイミングに基づいて回転リール３０ａ〜３０ｃが順に回転停止する。ここで、有効ライン上に並んだ図柄の組合せが所定の当り組合せであると、予め設定されている個数の賞球が遊技者に払い出される。また、遊技内容についていえば、遊技者に有利なボーナスゲーム等の遊技作動が実行開始されることとなる。一方、停止した図柄の組合せが当り組合せ以外である場合は、ハズレ組合せとして確定表示されることとなる。
【００７４】
図５は、本発明にかかるスロットマシン１の遊技制御手段を構成する各種基板及び該基板の接続状態を示すブロック図である。
マイクロコンピュータにより構成される主制御基板Ａには、スロットマシン１の遊技作動を統括的に制御するための主制御用中央制御装置（ＣＰＵ）を備えた基板回路が設けられている。この主制御基板Ａの基板回路には、周辺機器とデータ通信を行う入力ポート及び出力ポート（図示省略）が設けられており、この出力ポートを介して主制御基板Ａからの制御信号が、払出制御基板Ｂ、表示制御基板Ｃ、ランプ制御基板Ｄ、音声制御基板Ｅ、情報端子基板Ｆの各入力ポートに向けて出力されるようになっている。また、主制御基板Ａの入力ポートには、上述したスタートレバー４１、各ＢＥＴボタン４２ａ，４２ｂ、停止ボタン４３ａ〜４３ｃ、放出ボタン４５、キャンセルボタン４６等が接続されており、主制御基板Ａは所定時間毎（例えば２ｍｓ毎）にこれらの作動状態を調べ、そのオン作動に応じて遊技状態を制御する。また、主制御基板Ａには、演算処理に用いる動作プログラムを格納する記憶装置ＲＯＭと、必要なデータを随時読み書き可能な記憶装置ＲＡＭとが、バス（図示省略）を介して主制御用中央制御装置ＣＰＵに接続される。
【００７５】
上記払出制御基板Ｂには、遊技球の払出作動の制御を行うための基板回路が設けられる。この基板回路は、上述した払出装置２６等と接続されており、主制御基板Ａから送出されるコマンドに従い払出装置２６を作動させて、貸球や賞球の払い出しを実行する。また、払出制御基板Ｂは、貸球数を記憶したプリペイドカードの読書きをカードユニット（図示省略）と、このプリペイドカードのデータ処理を中継するＣＲ接続基板を介して接続され、遊技球の残球データ等のやり取りを行うする。
【００７６】
上記表示制御基板Ｃは、回転リール３０ａ〜３０ｃの停止制御を行うための基板回路が設けられる。この基板回路には、各回転リール３０ａ〜３０ｃを回転駆動するリール駆動モータ（図示省略）と、回転リール３０ａ〜３０ｃの回転角度を検出する基準位置センサ（図示省略）とが接続され、主制御基板Ａから送出されるコマンドに従ってリール駆動モータを駆動させ、各回転リール３０ａ〜３０ｃを回転させるとともに、所定回転角度で停止させる。
【００７７】
上記ランプ制御基板Ｄには、入賞ラインランプ（図示省略）、開閉パネル１０に設けられる各種ボタン４２ａ、４２ｂ，４３ａ〜４３ｃ，４５，４６に内蔵されたランプ、遊技前面に配設される各種装飾ランプ（図示省略）等が接続されており、主制御基板Ａから送出されるコマンドに従い各種ランプを点灯制御する。
【００７８】
上記音声制御基板Ｅには、遊技前面に配設される各種スピーカが接続されており、主制御基板Ａから送出されるコマンドに従って遊技状態に応じて所定態様でこれらのスピーカから音響を発する。
【００７９】
また、上記情報端子基板Ｆは、遊技島に設備される集中管理装置と接続するためのものであり、主制御基板Ａや払出制御基板Ｂから送られた賞球数や大当り回数等の情報が、この情報端子基板Ｆを介して集中管理装置へ送信される。
【００８０】
次に、本発明の要部について説明する。
上述した球取込装置５０は、図６のように、前枠４に図示しない固定部材によって固定される固定ケース部５１ａと、該固定ケース部５１ａに前方へ開放可能に枢結され、確認球貯留スティック６０が設けられた開閉ケース部５１ｂとからなる取込ケース５１から構成されている。この開閉ケース部５１ｂの前面上部には、上述した開閉パネル１０の閉鎖状態で、上部球貯留皿１５の整列路１９の下流端に設けたれた取込口２０（図１２参照）に連通する位置に、前方へ突出するように球取込口５３が設けられている（図３参照）。一方、固定ケース部５１ａの背面下部には、取り込んだ遊技球を流出する取込球流出口５４が設けられている。そして、この取込ケース５１の内部には、球取込口５３から取込球流出口５４まで連通する球取込路５２が形成されており、球取込口５３から流入した遊技球が下方へ流下して取込球流出口５４から流出するようになっている。
【００８１】
この取込ケース５１には、図６（ハ）のように、スプロケット５５が、その歯部を上記した球取込路５２内に突出させるように配設されており、このスプロケット５５により球取込路５２を流下する遊技球の流れが制限される。さらに、このスプロケット５５の回転を規制可能なストッパ５６と、該ストッパ５６を傾動する取込用ソレノイド５７とが配設されている。ここで、取込用ソレノイド５７は、非通電の状態（図１０（イ），（ニ）参照）で、ストッパ５６がスプロケット５５の回転を停止する位置で保持され、通電されることにより駆動して、ストッパ５６をスプロケット５５が回転可能な位置へ傾動する（図１０（ロ），（ハ）参照）。そして、取込用ソレノイド５７の一回の通電により、図１０のように、スプロケット５５を停止する位置と回転可能な位置とに往復作動させ、この一往復作動によりスプロケット５５が所定角度回転して遊技球を一個毎移送できるように、ストッパを傾動させる。このように取込用ソレノイド５７が通電されることにより、該通電回数に応じた個数の遊技球が下流側へ移送される。
【００８２】
ここで、取込用ソレノイド５７が連続的に通電されると、通電されている間、ストッパ５６はスプロケット５５の回転可能位置に保持されることとなり、遊技球が連続して下流側へ移送される。
【００８３】
さらに、球取込路５２の、上記したスプロケット５５の下流側には、図６のように、遊技球を検知する取込球検知センサ５９が配設されている。この取込球検知センサ５９は、上述した主制御基板Ａに接続されており（図５参照）、取り込んだ遊技球数が確認されている。同様に上記した取込用ソレノイド５７も主制御基板Ａに接続されており（図５参照）、該主制御基板Ａは、遊技者が上述したＢＥＴボタン４２ａ，４２ｂを操作した場合に、その所定賭数単位に応じた個数の遊技球を取り込むように、当該個数に相当する回数だけ断続的に通電するようにして当該ソレノイド５７を駆動制御している（図１０参照）。尚、主制御基板Ａは、遊技者が上述した放出ボタン４５を操作した場合に、上部球貯留皿１５内の遊技球を下部球貯留皿１３へ移送するように、取込用ソレノイド５７を所定時間連続して通電して、遊技球が球取込路を連続して流下するように制御する。
【００８４】
尚、取込ケース５１の開閉ケース部５１ｂは、その前面部を透明な樹脂製材料から形成されてなるものとしており、球取込口５３を流下する遊技球を視認可能としている（図示省略）。そして、スプロケット５５、ストッパ５６、取込用ソレノイド５７の作動状態も視認できる。また、この球取込装置５０には、図１０，図１１のように、取込用ソレノイド５７を強制的に通電した状態とすることができる手動用の操作レバー５８も配設されている。この操作レバー５８は、一端部が取込ケース５１の外側に配され、他端部が取込ケース５１の内部で取込用ソレノイド５７のプランジャ（図示省略）に挿通されている。すなわち、この操作レバー５８は、非操作状態で、取込用ソレノイド５７の駆動に関係しない下方位置にあり（図１１（イ））、該下方位置から上方へ引き上げ操作されることにより、取込用ソレノイド５７を通電した状態と同様にプランジャを昇動させ、スプロケット５５を傾動可能とするものである（図１１（ロ）〜（ニ））。
【００８５】
上述したスプロケット５５、ストッパ５６、取込用ソレノイド５７、取込用検知センサ５９は、取込ケース５１の固定ケース部５１ａに配設されており、開閉ケース部５１ｂを開放することによりこれらが露出し、不具合や異常等が生じた場合にその確認や修理・交換を比較的容易に行うことができるようにしている。このスプロケット５５、ストッパ５６、取込用ソレノイド５７、取込用検知センサ５９等から本発明の取込作動手段が構成されている。
【００８６】
一方、上述した球取込装置５０には、その取込球流出口５４に連通し、取り込まれた遊技球が流下する取込球流下路３５（図４参照）が接続されている。この取込球流下路３５は、図１３のように、球通路変換装置３６を介して二股状に分岐されており、その一方は、上述した下部球貯留皿１３の球返却口１４に連通する返却通路３７であり、他方は、遊技島の球回収装置（図示省略）に連通する排出通路３８である。そして、球取込装置５０の取込球流出口５４から流下する遊技球は、球通路変換装置３６によって下部球貯留皿１３の球返却口１４と、遊技島の球回収装置の何れかに放出される。
【００８７】
この球通路変換装置３６は、図１３（イ），（ロ）に示すように、取込球流下路３５を遮断可能なスプロケット３９と、該スプロケット３９を正逆両方向に選択的に回転させる変換用モータ４０と、該スプロケット３９の直上に設けられて遊技球を検知する停留球検知センサ３４とから構成されている。ここで、スプロケット３９は、その周部に、遊技球を一個ずつ収容可能な三つの凹部３９ａを備え、各凹部３９ａの間が、その外周面で遊技球を停留させる停留部３９ｂとなっている。変換用モータ４０は、ステッピングモータからなり、主制御基板Ａ（図５参照）に接続されて、該主制御基板Ａからの制御信号によって正逆何れかの方向に回転駆動されるとともに、スプロケット３９の何れかの停留部３９ｂが上方に向いた状態で停止するように制御される。そして、上述した球取込装置５０により取り込まれた遊技球は取込球流下路３５を流下して、スプロケット３９の停留部３９ｂによって一旦停留され、上述したスタートレバー４１が操作されると、主制御基板Ａからの制御信号に基づいて変換用モータ４０が図中反時計回りに回転駆動され、スプロケット３９が同方向に回転して、遊技球が排出通路３８へ流下して遊技島の球回収装置側へ排出される。この時、変換用モータ４０の回転駆動は、スプロケット３９の直上に配設されている停留球検知センサ３４によって遊技球が検知されなくなるまで、即ち、球取込装置５０に取込まれた遊技球が取込球流下路３５内になくなるまで継続される。また、球取込装置５０により取り込まれた遊技球がスプロケット３９の停留部３９ｂにより停留されている場合に、キャンセルボタン４６が押圧操作されると、主制御基板Ａからの制御信号に基づいて変換用モータ４０が図中時計回りに回転駆動され、スプロケット３９が同方向に回転して、遊技球が返却通路３７を流下して球返却口１４から下部球貯留皿１３へ流出するようになっている。
【００８８】
尚、上記した球通路変換装置３６は、上述した放出ボタン４５が押圧操作された場合にも、スプロケット３９が図中時計回りに回転するように制御される。また、後述する取込球リセットボタン７１、保守用作動ボタン７２、保守用返却ボタン７３が押圧操作された場合にあっても、スプロケット３９が回転制御される。この球通路変換装置３６により、本発明にかかる球通路変換手段が構成されている。
【００８９】
また、上述した遊技機本体３の前枠４には、図３のように、開閉パネル１０の閉鎖状態で、該開閉パネル１０により被覆される位置に、保守用操作部７０が設けられている。この保守用操作部７０には、取込球リセットボタン７１、保守用作動ボタン７２、保守用返却ボタン７３が配設されている。これら各ボタン７１，７２，７３は主制御基板Ａと接続されており、その操作に従って主制御基板Ａが所定の制御を実行するようになっている（図５参照）。尚、これら各ボタン７１，７２，７３の操作により取り込まれた遊技球は、開閉パネル１０が開放状態であると、取込球検知センサ５９、停留球検知センサ３４に検知されても無効球として扱い、遊技内で取り込んだ遊技球として記憶されないように制御されている。
【００９０】
ここで、取込球リセットボタン７１は、遊技者が上述したＢＥＴボタン４２ａ，４２ｂを操作して所定賭数単位の遊技球が球取込装置５０により取り込まれている途中で、該球取込装置５０に不具合や異常が生じて遊技球が正しく取り込めなくなった場合に、当該賭数単位の既に取り込まれた遊技球を遊技者に返却すると共に、取込球検知センサ５９により検知された当該賭数単位の遊技球数をリセットするためのものである。すなわち、この取込球リセットボタン７１が操作されると、主制御基板Ａは、図１３（ロ）に示す球通路変換装置３６のスプロケット３９を図中時計回りに回転させて、既に取り込まれて取込球流下路３５で停留している遊技球を下部球貯留皿１３へ返却する。さらに、賭数設定に従って取り込まれて取込球検知センサ５９により検知された遊技球数をリセットして、当該賭数単位の設定を無効とする。
【００９１】
また、上記した保守用返却ボタン７３は、遊技者の遊技中に球取込装置５０に不具合や異常が生じた場合に、球取込装置５０の球取込路５２内に残留している遊技者の遊技球を下部球貯留皿１３へ返却するためのものである。すなわち、この保守用返却ボタン７３が操作されると、主制御基板Ａは取込用ソレノイド５７を通電し、スプロケット５５の上流側で停留する遊技球を全て流下させると共に、図１３（ロ）に示す球通路変換装置３６のスプロケット３９を図中時計回りに回転させて、取込球流下路３５を流下する遊技球を下部球貯留皿１３へ返却する。ここで、主制御基板Ａは、停留球検知センサ３４が遊技球を検知しない時間が所定が経過すると、取込用ソレノイド５７及び変換用モータ４０を停止する制御を行う。尚、この保守用返却ボタン７３が操作されても遊技球を取り込めない場合には、上述した球取込装置５０の操作レバー５８を操作して、取込用ソレノイド５７を強制的に通電位置としてスプロケット５５を回動可能な状態とすることにより、遊技球を流下させる。
【００９２】
また、上記した保守用作動ボタン７２は、球取込装置５０に生じた不具合や異常を修理した後、後述する確認球貯留スティック６０の遊技球を使用して、該遊技球を取り込み、この取り込んだ遊技球を排出通路３８へ流下させるためのものであり、遊技球を正常に取り込むことができるか否かを確認する取込作動確認を行い得る。すなわち、この保守用作動ボタン７２が操作されると、主制御基板Ａは、一定間隔で断続的に取込用ソレノイド５７を通電し、遊技球を一個毎取り込むように、スプロケット５５を所定角度毎に回動させる（図１０参照）。さらに、図１３（ロ）に示す球通路変換装置３６のスプロケット３９を図中反時計回りに回転させて、取り込んだ遊技球を排出通路３８へ流下させる。このように主制御基板Ａが、保守用作動ボタン７２の操作に従って、ＢＥＴボタン４２ａ，４２ｂの操作に従って遊技球を取り込む場合と同様に、遊技球を一個毎取り込むように取込用ソレノイド５７を断続的に通電することにより、球取込装置５０の作動確認を行うことができるようになっている。ここで、主制御基板Ａは、取込球検知センサ５９が遊技球を検知しなくなると、取込用ソレノイド５７への通電を停止すると共に、停留球検知センサ３４が遊技球を検知しなくなると、変換用モータ４０を停止するように制御する。
【００９３】
尚、上述した取込球リセットボタン７１が、本発明にかかる取込球リセットスイッチであり、保守用作動ボタン７２が、本発明にかかる保守用作動スイッチであり、保守用返却ボタン７３が、本発明にかかる保守用返却スイッチである。
【００９４】
また、上述した開閉パネル１０のパネル部材１１には、図１２のように、その裏面に、上部球貯留皿１５の取込口２０を開閉する取込口開閉扉６８が配設されている。この取込口開閉扉６８は、その両側を案内部材６９，６９に支持されて上下方向へ移動可能となっていると共に、弾性バネ等の付勢手段（図示省略）により下方付勢されて設けられている。そして、取込口開閉扉６８は、付勢手段の付勢力に従って降下して取込口２０から遊技球が流出しない閉鎖位置（図示省略）と、該付勢力に抗して上昇させて取込口２０から遊技球が流出する開放位置（図示省略）とに変換される。ここで、取込口開閉扉６８は、その背面に、表側へ下方傾斜する開閉案内面６８ａが形成されており、開閉パネル１０の開閉により、この開閉案内面６８ａに球取込装置５０の球取込口５３の口縁上部が当接することにより、当該取込口開閉扉６８が開放位置と閉鎖位置とに変換されるようになっている。すなわち、開閉パネル１０の開放状態では、取込口開閉扉６８がその付勢手段に従って取込口２０を閉鎖する閉鎖位置にあり、該開閉パネル１０が閉鎖されていくことにより、球取込装置５０の球取込口５３の口縁上部が取込口開閉扉６８の開閉案内面６８ａに当接して押し付けられていき、当該取込口開閉扉６８がその付勢手段に抗して押し上げられる。そして、開閉パネル１０が閉鎖状態となると、取込口２０と球取込装置５０の球取込口５３とが連通して、取込口開閉扉６８が球取込口５３の口縁上の開放位置に保持される。このように、取込口開閉扉６８は、開閉パネル１０の開閉に従って自動的に開閉作動して、該開閉パネル１０の開放状態で上部球貯留皿１５の遊技球が取込口２０から落ちてしまうことを防止している。
【００９５】
一方、図７〜図９のように、上述した球取込装置５０には、その前方へ突出する球取込口５３に遊技球を流入可能となるように、該遊技球が所定個数貯留された確認球貯留スティック６０を取り付け可能としている。この確認球貯留スティック６０は、長尺状の直方体形に形成されており、遊技球を一列に整列して貯留する長尺状の球貯留領域６１と、この球貯留領域６１の一端に該遊技球を流出する球出口端６２とが設けられている。さらに、この球貯留領域６１の他端には、該球貯留領域６１に遊技球を流入する球補充口６５が設けられており、該球補充口６５を開閉する補充口蓋６６も設けられている（図９（ロ）参照）。この補充口蓋６６は、図示しない係止部材により球補充口６５を閉鎖した状態で保持されており、この係止部材の係止を解除することによって球補充口６５を開放可能としている。
【００９６】
上記した球出口端６２の口縁には、凹形状の嵌着口縁６３が形成されている。そして、この凹形状の嵌着口縁６３は、球取込装置５０に突成する球取込口５３の口縁に形成された凸形状の被嵌着口縁６４に嵌着可能となるようになっている。すなわち、確認球貯留スティック６０は、図７，図８のように、その嵌着口縁６３を球取込装置５０の被嵌着口縁６４に嵌着することにより、該球取込装置５０に取り付けられて、この取り付けた状態に保持可能となっている。そして、この嵌着状態では（図８（ロ））、確認球貯留スティック６０の球出口端６２と球取込口５３とが対面して連通しており、球出口端６２から流出した遊技球が、球取込口５３を介して球取込路５２へ流下するようになっている。ここで、球貯留領域６１は、嵌着口縁６３と被嵌着口縁６４とが嵌着状態にある場合に、球出口端６２へ向かって緩やかに下方傾斜するように設けられており、遊技球を球出口端６２へ流動し易いようになっている。
【００９７】
尚、上述した球取込装置５０の被嵌着口縁６４は、略四角状の球取込口５３と同様の略四角状の外周としている。そして、このような被嵌着口縁６４に外嵌する確認球貯留スティック６０の嵌着口縁６３もその内周を略四角状に形成されている（図９（イ）参照）。
【００９８】
この確認球貯留スティック６０の凹形状の嵌着口縁６３と球取込装置５０の凸形状の被嵌着口縁６４とから、本発明にかかるスティック保持手段が構成されている。
【００９９】
さらに、この球出口端６２の嵌着口縁６３には、図９（イ）のように、その口端一辺に、金属板を屈曲した形状の板バネ材からなる開閉バネ部材６７が配設されている。ここで、開閉バネ部材６７は、その略中央部の屈曲部位が嵌着口縁６３の開口端縁に位置するようにして、該屈曲部位の片側（以下、固定片部）６７ｂを該嵌着口縁６３の一辺に固定している。一方、この開閉バネ部材６７の、屈曲部位の他側（以下、弾性片部）６７ａは、球取込装置５０に取り付けられていない常態で、球出口端６２の口内へ突出しており、球貯留領域６１内の遊技球を球出口端６２で係止している（図８（イ）参照）。この開閉バネ部材６７を、その弾性片部６７ａが嵌着口縁６３の内周面にほぼ接触するように、屈曲変形することにより、球出口端６２が遊技球を流出可能とする開放状態となる（図８（ロ）参照）。そして、この屈曲変形させている強制力が解除されると、開閉バネ部材６７の屈曲部位の弾性力により、弾性片部６７ａは球出口端６２の口内へ突出する初期位置へ復帰する（図８（イ）参照）。すなわち、この開閉バネ部材６７は、その弾性片部６７ａが固定片部６７ｂに対して傾動するように、弾性的に屈曲変形することにより、球出口端６２を開閉するようになっている。ここで、弾性片部６７ａが球出口端６２の内周面に沿うように屈曲した位置（図８（ロ））を、以下開放位置（本発明にかかる開放位置）とする。また、弾性片部６７ａが、常態で球出口端６２の口内に突出して遊技球を係止する位置（図８（イ））を、以下球係止位置とする。
【０１００】
上述した開閉バネ部材６７は、図８のように、確認球貯留スティック６０の嵌着口縁６３を球取込装置５０の被嵌着口縁６４に嵌着するに従って、その弾性片部６７ａが被嵌着口縁６４により球出口端６２の内周面側へ押し付けられ、球係止位置（図８（イ））から開放位置（図８（ロ））へ屈曲する。また、被嵌着口縁６４と嵌着状態にある嵌着口縁６３を脱嵌するに従って、弾性片部６７ａを球出口端６２の内周面側へ押し付けていた強制力が解除されていき、該弾性片部６７ａは球流出位置（図８（ロ））から球係止位置（図８（イ））へ復帰していく。このように、確認球貯留スティック６０を球取込装置５０に脱着することにより、開閉バネ部材６７が球係止位置と球流出位置とに自動的に変換されて、球貯留領域６１内の遊技球を係止又は流出させることができるようになっている。
【０１０１】
上述したように、確認球貯留スティック６０の嵌着口縁６３に配設された開閉バネ部材６７により、本発明にかかる出口開閉手段が構成されている。尚、この嵌着口縁６３には、開閉バネ部材６７の弾性片部６７ａが球流出位置（図８（ロ））となった場合に、該弾性片部６７ａを嵌着口縁６３の内周面と被嵌着口縁６４の外周面との間に保持可能とするスペースが設けられている。
【０１０２】
このように、上述した確認球貯留スティック６０、該確認球貯留スティック６０を球取込装置５０に嵌着する嵌着口縁６３及び被嵌着口縁６４からなるスティック保持手段、保守用操作部７０等により、本発明にかかる作動確認用球供給装置が構成されている。
【０１０３】
次に、上述した球取込装置５０の取込作動を確認する手順について説明する。
例えば、遊技者がＢＥＴボタン４２ａ，４２ｂを操作して賭数単位を設定し、球取込装置５０により遊技球が取り込まれている途中で、該球取込装置５０が遊技球を正常に取り込むことができなくなる不具合が発生したとする。
【０１０４】
遊技場の係員は、この不具合を解消するために、開閉パネル１０を開放する。この時、上述した取込口開閉扉６８が閉鎖して、上部球取込皿１５内の遊技球が取込口２０から流出することが防止される（図１２参照）。そして、保守用操作部７０の取込球リセットボタン７１（図３参照）を係員が操作すると、球通路変換装置３６の変換用モータ４０が駆動して、取込球流下路３５内に停留する遊技球を下部球貯留皿１３へ返却すると共に、主制御基板Ａが記憶する当該賭数単位に従って取り込んだ遊技球数をリセットする。この後、係員が保守用返却ボタン７３（図３参照）を操作すると、球取込装置５０の取込用ソレノイド５７が通電されて、スプロケット５５を回動可能な状態とすると共に、球通路変換装置３６の変換用モータ４０を遊技球が返却通路３７へ流下するように駆動する。これにより、球取込路５２に残留する遊技者の遊技球を、該遊技者へ返却する。尚、取込用ソレノイド５７がうまく作動しない場合には、手動で操作レバー５８を昇動させて、該取込用ソレノイド５７を強制的に通電状態と同じとすることにより、遊技球を遊技者に返却する。尚、この保守用返却ボタン７３の操作により、係員は透明な樹脂製からなる開閉ケース部５１ｂを通して、不具合の原因を調べることもできる。
【０１０５】
そして、係員は、取込ケース５１を開放する等して、不具合箇所の修理や部品の交換等を行い、当該不具合を解消させる。尚、上記したように、保守用返却ボタン７３の操作により球取込装置５０の取込作動を視認して不具合や異常の原因を調べているため、修理や交換作業を効率的に行うことができ得る。この修理又は交換が終了すると、取込ケース５１を閉鎖する。この後、係員は、球取込装置５０が正常に作動するか否かの確認を行う。
【０１０６】
球取込装置５０の取込作動確認は、予め遊技球を貯留してある確認球貯留スティック６０を、その球出口端６２の嵌着口縁６３を球取込口５３の被嵌着口縁６４に嵌着することにより、球取込装置５０に取り付け保持する（図７（ロ），図８（ロ））。ここで、嵌着口縁６３と被嵌着口縁６４とが嵌着することにより、上述したように、該嵌着口縁６３に配設された開閉バネ部材６７の弾性片部６７ａが球流出位置に保持され、確認球貯留スティック６０の遊技球が、球取込装置５０の球取込路５２へ流入する。そして、係員が保守用操作部７０の保守用作動ボタン７２（図３参照）を操作すると、取込用ソレノイド５７へ断続的に通電する。ここで、不具合や異常が解消されているとすると、この取込用ソレノイド５７が断続的な通電により繰返し作動して、スプロケット５５が遊技球を一個毎流下するように所定角度毎回転し、該遊技球を取り込んで取込球流下路３５側へ移送する（図１０（イ）〜（ニ））。この時、係員は、取込用ソレノイド５７、ストッパ５６、スプロケット５５の作動を目視して確認できる。尚、取込球流下路３５へ流下した遊技球は、保守用作動ボタン７２の操作により駆動する球通路変換装置３６により排出通路３８へ流下する。
【０１０７】
このように、球取込装置５０が正常に作動することが確認できたら、確認球貯留スティック６０を球取込装置５０から取り外す。この時、確認球貯留スティック６０の開閉バネ部材６７は、その弾性片部６７ａが球係止位置に復帰する（図８（イ）参照）。既に球取込路５２に流入した遊技球が、全て取り込まれ、排出通路３８へと流下すると、取込用ソレノイド５７が非通電状態となると共に、球通路変換装置３６の作動も停止する。そして、係員が開閉パネル１０を閉じると、上部球貯留皿１５の取込口２０が開口して球取込装置５０へ遊技球が流下する。こうして、遊技者は遊技を再開することができる。尚、不具合が生じた時に設定された賭数単位は、係員が取込球リセットボタン７１を操作したことによりクリアされているため、遊技者は新たなゲームを開始することとなる。
【０１０８】
ここで、上記した保守用作動ボタン７２の操作によって、不具合が解消されない場合や、新たな不具合が見つかった場合には、球出口端６２を閉鎖して、球取込路５２内の遊技球を排出通路３８へ流下させた後、再び取込ケース５１を開放して、修理・交換等を実行する。そして、上述と同様に、改めて作動確認を行なって、正常に作動することを確認する。
【０１０９】
上述したように、本実施例１の構成にあっては、球取込装置５０に不具合や異常を生じた場合に、遊技者の遊技球は返却し、該不具合や異常等を修理した後に、確認球貯留スティック６０を球取込装置５０に取り付けることにより、該確認球貯留スティック６０内の遊技球を用いて取込作動確認を行い得るようにしたものある。これにより、遊技者の遊技球が紛失することもなく、また、遊技場の遊技球を紛失することもないから、遊技者とのトラブルが発生しないと共に、遊技場に不利益を被ることもない。また、取込作動確認が、確認球貯留スティック６０の脱着と、保守用作動ボタン７２の操作により行われることから、その作業性に優れている。
【実施例２】
【０１１０】
実施例２は、上述した実施例１の確認球貯留スティック６０を用いて取込作動確認を行う場合に、図１５，図１６のように、該確認球貯留スティック６０の遊技球を、内部に球回収領域７６を備えた球回収スティック７５により回収するようにしたものである。ここで、球取込装置８０は、上述した実施例１と同様に前枠４に配設されており（図１４参照）、その取込ケース８１が、該前枠４に固定される固定ケース部８１ａと該固定ケース部８１ａに開閉可能に枢結された開閉ケース部８１ｂとから構成されている。そして、この取込ケース８１の開閉ケース部８１ｂには、この球回収スティック７５を嵌入可能とする回収用開口８２が形成されている（図１５（イ），図１６（ロ））。この回収用開口８２は、球取込装置８０の球取込路５２に、その取込球検知センサ５９の下流側で連通するように設けられている。
【０１１１】
上記の球回収スティック７５には、その一端部に、球取込装置８０の回収用開口８２に嵌入する回収嵌入部７７が形成されている。ここで、球回収スティック７５は、長尺状の直方体形を成しており、回収用開口８２も略四角状に開口されて、回収嵌入部７７を嵌入できるようにしている。そして、この回収嵌入部７７には、回収用開口８２と嵌着状態で、球取込路５２内に位置して上方に開口する球回収口端７８が形成されており、スプロケット５５の回動により取り込まれた遊技球をこの球回収口端７８から流入して回収できるようになっている。この回収された遊技球は、球回収領域７６に貯留される。
【０１１２】
ここで、球回収スティック７５の球回収口端７８には、該球回収口端７８を開閉する保持蓋（図示省略）が設けられており、この保持蓋を係員が手動で脱着することにより球回収口端７８を開閉できるようになっている。この球回収口端７８を開放して、球回収スティック７５を球取込装置５０の回収用開口８２に嵌着することにより、遊技球を回収でき、該回収用開口８２から脱嵌して閉鎖することにより、回収した遊技球が流出してしまうことを防止する。また、この球回収口端７８を開口することにより、回収した遊技球を取り出せるようになっている。
【０１１３】
また、上記した球取込装置５０の回収用開口８２には、該回収用開口８２に脱着可能とする開閉蓋８３が取り付けられている（図１５（イ）、図１６（イ），（ロ）参照）。この開閉蓋８３は、その内側に凸成されて回収用開口８２に嵌着される嵌着凸部８３ａと、その外側に、閉鎖状態で回収用開口８２を被覆する蓋基部８３ｂとから構成されている。そして、この開閉蓋８３は、その蓋基部８３ｂを係員が手で摘むことにより脱着できるようになっている。ここで、嵌着凸部８３ａは、その先端面が、嵌着状態で球取込路５２の一面を成すように形成されており、開閉蓋８３が取り付けられている状態では、遊技球が球取込路５２を円滑に流下できるようにしている。尚、この開閉蓋８３が、本発明にかかる開閉片である。
【０１１４】
一方、開閉パネル１０（図３参照）に被覆される部位に設けられた保守用操作部８５には、図１４のように、リセットボタン７１と、保守用返却路ボタン８６と、保守用取込作動ボタン８７とが配設されている。この保守用返却路ボタン８６は、そのオン操作に従って、球通路変換装置３６の変換用モータ４０を駆動して、取込球流下路３５内の遊技球を返却通路３７へ流下させるようにしたものである（図１３参照）。一方、保守用取込作動ボタン８７は、そのオン操作に従って、球取込装置８０の取込用ソレノイド５７に、スプロケット５５を所定角度毎に回動するように断続的に通電して、遊技球を一個毎取り込むようにしたものである（図１０参照）。この保守用返却路ボタン８６と、保守用取込作動ボタン８７は、主制御基板Ａに接続されている。尚、この保守用返却路ボタン８６が本発明にかかる保守用返却路スイッチであり、保守用取込作動ボタン８７本発明にかかる保守用取込作動スイッチである。
【０１１５】
本実施例２の構成は、球回収スティック７５と、球取込装置８０に該球回収スティック７５を嵌着可能な回収用開口８２を設け、取込作動確認する場合に、この球回収スティック７５により確認球貯留スティック６０の遊技球を回収するようにしたものである。また、保守用操作部８５に、保守用返却路ボタン８６と保守用取込作動ボタン８７を備えた構成である。そして、これ以外の構成は、上述した実施例１と同じ構成である。そのため、同じ構成部位には、同じ符号を用いて、その説明を省略した。
【０１１６】
この実施例２にあっては、上述した確認球貯留スティック６０、該確認球貯留スティック６０を球取込装置８０に嵌着する嵌着口縁６３及び被嵌着口縁６４、保守用操作部８５、球回収スティック７５、球取込装置８０の回収用開口８２及び開閉蓋８３等により本発明にかかる作動確認用球供給装置が構成されている。
【０１１７】
次に、球取込装置８０の取込作動確認の作業手順について説明する。
上述した実施例１の場合と同様に、遊技者が賭数設定を行い、球取込装置８０が該賭数に応じた遊技球を取り込んでいる取込途中に、遊技球を正常に取り込むことができなくなったとする。尚、当然ながら、球取込装置８０の回収用開口８２は、遊技中、開閉蓋８３により閉鎖されている（図１６（イ））。
【０１１８】
遊技場の係員は、開閉パネル１０を開放して、球取込装置８０を視認可能とする。そして、保守用操作部８５の取込球リセットボタン７１（図１４参照）を操作して、取込球流下路３５内に停留する遊技球を下部球貯留皿１３へ返却すると共に、主制御基板Ａが記憶する当該賭数単位に従って取り込んだ遊技球数をリセットする。さらに、保守用返却路ボタン８６及び保守用取込作動ボタン８７（図１４参照）を操作して、球取込路５２内に残留する遊技者の遊技球を下部球貯留皿１３へ返却する。尚、上述した実施例１と同様に、取込用ソレノイド５７がうまく作動しない場合には、操作レバー５８を操作して強制的に遊技球を取り込む（図１１参照）。
【０１１９】
この後、係員は、取込ケース８１を開放する等して、不具合箇所の修理や部品の交換等を行い、当該不具合を解消させる。この修理又は交換が終了すると、係員は、取込ケース８１を閉鎖して、球取込装置８０の取込作動確認を行う。
【０１２０】
係員は、上述した実施例１と同様に、確認球貯留スティック６０を、図１５，図１６のように、その嵌着口縁６３が球取込口５３の被嵌着口縁６４と嵌着するようにして、球取込装置８０に取り付け保持する。これにより、確認球貯留スティック６０内の遊技球が、球取込路５２へ流入する。さらに、図１５，図１６のように、回収用開口８２を閉鎖している開閉蓋８３を取り外して、球回収口端７８を開口した球回収スティックを、その回収嵌入部７７を該回収用開口８２に嵌入させることにより、球取込装置８０に取り付ける。ここで、球回収スティック７５の球回収口端７８が球取込路５２内で、上方に開口して球取込路５２内を流下する遊技球を回収できる状態となっている。
【０１２１】
そして、係員が保守用操作部８５の保守用取込作動ボタン８７を操作することにより、取込用ソレノイド５７を通電して（図１０参照）、確認球貯留スティック６０から流入した遊技球を取り込む。スプロケット５５の回動により取り込まれた遊技球は、球回収スティック７５の球回収口端７８から流入して、球回収領域７６に貯留される。遊技球が正常に取り込めることを確認したら、確認球貯留スティック６０を球取込装置８０から取り外す。尚、既に球取込路５２に流入している遊技球は、スプロケット５５の回動により取り込まれて、球回収スティック７５に回収される。全ての遊技球を回収したら、球回収スティック７５を球取込装置８０から取り外し、球回収口端７８を閉鎖する。さらに、球取込装置８０の回収用開口８２を開閉蓋８３により閉鎖する。そして、開閉パネル１０を閉じることにより、上部球貯留皿１５の遊技球が取込口２０から、球取込装置８０の球取込路５２へ流入して、遊技を再開可能となる。こうして、球取込装置８０に生じた不具合や異常を修理すると共に、該球取込装置８０の作動確認が行われる。
【０１２２】
ここで、上記した保守用取込作動ボタン８７の操作によって、不具合が解消されない場合や、新たな不具合が見つかった場合には、改めて修理と作動確認を行なって、正常に作動することを確認する。
【０１２３】
本実施例２にあっては、上述した実施例１と同様に、球取込装置８０に生じた不具合や異常等を解消した後に、確認球貯留スティック６０を取り付けて取込作動確認を行うようにしたものである。そして、この取込作動確認に用いた遊技球を、球回収スティック７５により回収するようにした。したがって、実施例１と同様の作用効果を発揮し得る。
【実施例３】
【０１２４】
実施例３にあっては、確認球貯留スティック９０が、図１７のように、遊技球を貯留して球出口端６２から流出可能とした確認球貯留部９０ａと、球回収口端７８から遊技球を流入可能とした球回収部９０ｂとを備えてなるものである。すなわち、この実施例３は、上述した実施例２のの確認球貯留スティック６０と球回収スティック７５とを一体的に構成するようにしたものである。
【０１２５】
この確認球貯留スティック９０は、確認球貯留部９０ａで遊技球を一列状に整列する球貯留領域９１と、球回収部９０ｂで球回収口端７８から回収した遊技球を貯留する球回収領域９２とが連通するようにして、長尺状の確認球貯留部９０ａと略Ｌ字状の球回収部９０ｂとが接合されたものである。これにより、球回収口端７８から回収した遊技球は、図１９のように、確認球貯留スティック９０を、その長手方向を回転させるようにして動かすことによって、球回収領域９２を通じて球貯留領域９１へ流動することができる。
【０１２６】
また、この確認球貯留スティック９０は、図１８のように、確認球貯留部９０ａの球出口端６２の嵌着口縁６３が、球取込装置８０の球取込口５３の被嵌着口縁６４と嵌着した場合に、球回収部９０ｂの回収嵌入部７７が球取込装置８０の回収用開口８２に嵌入して球回収口端７８が球取込路５２内に位置するように形成されている。したがって、確認球貯留スティック９０は、球出口端６２の嵌着口縁６３を球取込口５３の被嵌着口縁６４に嵌着することと、回収嵌入部７７を回収用開口８２に嵌入することとを一度に行い得る。
【０１２７】
本実施例３にあっては、確認球貯留スティック９０が、貯留している遊技球を球取込装置８０へ流入する確認球貯留部９０ａと、球取込装置８０から遊技球を回収する球回収部９０ｂとを一体的に設けた構成としている。ここで、確認球貯留部９０ａは、上述した実施例２の確認球貯留スティック６０とほぼ同様の構成であり、球回収部９０ｂは、上述した実施例２の球回収スティック７５を略Ｌ字状に形成した構成である。そして、これ以外の構成は、上述した実施例２と同じ構成である。したがって、同じ構成の部位には、同じ符号を用い、その説明を省略した。
【０１２８】
上述した確認球貯留スティック９０は、例えば、上述した実施例２と同様に、球取込装置８０に不具合や異常が発生して、これを修理・交換した後に、開閉パネル１０を開放したままの状態で、取込作動確認を行う場合に用いられる。すなわち、この確認球貯留スティック９０を、その嵌着口縁６３が被嵌着口縁６４に嵌着し、かつ、開閉蓋８３を開けた回収用開口８２に回収嵌入部７７を嵌入させるようにして、球取込装置８０に取り付け保持する（図１８（イ），（ロ））。このように取り付けられると、球出口端６２から遊技球が球取込路５２へ流入する。そして、係員が保守用操作部８５の保守用取込作動ボタン８７を操作することにより、スプロケット５５を回動して球取込路５２に流入した遊技球を一個毎取り込む。この取り込まれた遊技球は、球回収口端７８に流入して回収される（図１８（ハ））。このように、確認球貯留スティック９０を取り付けることにより、取込作動確認の遊技球を供給し、かつ回収することができる。
【０１２９】
而して、本実施例３にあっては、上述した実施例１及び実施例２と同様の作用効果を発揮し得る。
【０１３０】
この実施例３にあっては、上述した確認球貯留スティック９０、該確認球貯留スティック９０を球取込装置８０に嵌着する嵌着口縁６３及び被嵌着口縁６４、保守用操作部８５、球取込装置８０の回収用開口８２及び開閉蓋８３から本発明にかかる作動確認用球供給装置が構成されている。
【実施例４】
【０１３１】
本実施例４は、パチンコ遊技機１０１に配設された発射装置１５０の発射作動確認を行うようにした作動確認用球供給装置の具体例を示すものである。
【０１３２】
このパチンコ遊技機１０１は、図２０のように、上述した実施例１と同様の木製の外枠１０２に、ヒンジ部材１１６を介して開閉可能となるように遊技機本体１０３が枢着されたものである。
【０１３３】
遊技機本体３は、図２１に示すように、ヒンジ部材１１６を介して外枠２に直接枢着する前枠１０４と、該前枠１０４の上半分に配設され、前面に所定の入賞口を備えた遊技領域１０８が形成された遊技盤１０７と、前枠４の背面側に開閉可能に取り付けられる裏機構板（図示省略）等により構成される。そして、この遊技機本体３の前枠１０４には、遊技盤１０７の前面に開閉可能に設けられた前扉１１７が枢結されており、さらにこの前扉１１７の下方に同じく開閉可能に取り付けられた開閉パネル１１０が枢結されている。
【０１３４】
図２１に示すように、遊技盤１０７の前面には、発射装置１５０により発射された遊技球を遊技盤１０７の上方部まで案内するガイドレール１０９等の区画部材によって区画された遊技領域１０８が形成されている。この遊技領域１０８には、そのほぼ中央にセンターケース１３０が配置されており、該センターケース１３０に、液晶表示器を使用した特別図柄表示装置１３１と、該表示装置１３１の上方に３個のＬＥＤを使用した普通図柄表示装置１３２とが配設されている。またセンターケース１３０の下方には、普通電動役物１３３が配設され、その入口を、入賞口を兼ねる第一種始動口１３４としている。さらに普通電動役物１３３の下方には、大入賞装置１３５が配設されており、大入賞口１３６を上下方向に開閉作動する入賞開閉扉１３７により開閉制御するようにしている。その他、遊技盤１０７の適宜位置に入賞領域としての複数の普通入賞口１３８が設けられている。
【０１３５】
また、遊技盤１０７に配設された左右のゲート１３９，１３９には普通図柄の変動を開始させるための信号を発生させる普通図柄作動スイッチが設けられている。また、遊技領域１０８の略中央最下端部には、入賞領域に入賞しなかった遊技球を遊技盤１０７の後方へ回収するアウト口１４０が遊技盤１０７裏面に貫通するように設けられている。尚、遊技盤１０７に設けられた各種入賞口１３４，１３６，１３８及びアウト口１４０に流入した遊技球を、遊技島に設けられた球回収装置（図示省略）に排出するように、夫々に連通する排出通路（図示省略）が配設されている。
【０１３６】
本パチンコ遊技機１０１にあっては、発射装置１５０から遊技領域１０８へ発射された遊技球が、上記した普通電動役物１３３の第一種始動口１３４に遊技球が入ると、特別図柄表示装置１３１に表示される複数の図柄が変動する。そして、その停止図柄が所定の組み合わせであると、大当りとなって大入賞口１３６が開放され、一連の大入賞口１３６の開閉作動により、多数の入賞球が発生する。また、各種入賞口１３４，１３６，１３８，１３９には、夫々に流入した遊技球を検出する入賞球検知センサ（図示省略）が配設されている。この各入賞球検知センサは、後述する主制御基板Ｌと盤面中継基板Ｍを介して接続されており、遊技球の検知信号を主制御基板Ｌが認識できるようになっている。
【０１３７】
ところで、上述したセンターケース１３０の特別図柄表示装置１３１には、三つの特別図柄（図示省略）が横並びに表示される。この三つの特別図柄は、それぞれ「０」〜「９」の数字からなり、各特別図柄が数字の順序に配列された上下方向の特別図柄列を構成している。そして、遊技球が、後述する入賞領域を通過すると、各特別図柄が変動開始し、その後停止する。この停止した各特別図柄の組合せ態様が当り態様（三つが同じ数字）である場合に、いわゆる「大当り（当り）」となる。
【０１３８】
ここで、特別図柄表示装置１３１は、上記した普通電動役物１３３に遊技球が流入して第一種始動口１３４を通過した遊技球を検知することにより、特別図柄表示装置１３１の特別図柄を変動開始する。そして、停止した特別図柄が上記したように当り態様であると、大入賞装置１３５の入賞開閉扉１３７が所定回数開閉を繰り返す大当り遊技作動が行われる。この大当り遊技作動にあって、遊技球が大入賞装置１３５の大入賞口１３６に入賞することにより、賞球が払い出される。このように大当り遊技作動で獲得可能な賞球は、比較的多いことから、遊技者の最も期待する遊技と言える。
【０１３９】
一方、上述したように、前枠１０４には、遊技盤１０７の前面に開閉可能に設けられた前扉１１７が枢結されており、その窓部１１８にガラス板（図示省略）が保持されており、遊技盤１０７の遊技領域１０８を視認できるようになっている。さらに、この前扉１１７の下方に同じく開閉可能に枢結された開閉パネル１１０には、上方に開口する上部球貯留皿１１５が設けられており、この上部球貯留皿１１５には、上述した実施例１と同様に、球払出口１４７と取込口（図示省略）が形成されている。この上部球貯留皿１１５には、上記した裏機構板（図示省略）に配設された球タンク（図示省略）から払い出される賞球や貸球等が、球払出口１４７から払い出される。そして、この遊技球が取込口から機内に取り込まれ、発射装置１５０により遊技領域１０８へ発射される。
【０１４０】
また、この前枠１０４には、上述した実施例１と同様に、開閉パネル１１０の下方に下部球貯留皿１１３が配設されている。この下部球貯留皿１１３内に、球返却口１１４が配設されている。
【０１４１】
一方、本実施例４のパチンコ遊技機１０１にも、上記したスロットマシン同様に、図２２のように、夫々に中央制御装置ＣＰＵ、記憶装置、入出力ポート等から構成される制御基板Ｌ〜Ｑが配設されている。これら複数の制御基板Ｌ〜Ｑは、遊技機本体３の裏制御基板（図示省略）の裏面に配設されている。
【０１４２】
ここで、主制御基板Ｌは、遊技に関する統括的な制御を処理実行し、所定の指示命令を発するものである。この主制御基板Ｌには、制御プログラムや、各種乱数テーブル等が記憶されており、必要に応じて随時処理されるようになっている。この主制御基板Ｌの他に、上記した各入賞口で遊技球を検知する各種検知センサ等が接続された盤面中継基板Ｍ、特別図柄表示装置１３１で表示される図柄演出を実行制御する図柄表示制御基板Ｎ、スピーカ等から発する音を制御する音源制御基板Ｏ、照明装置や普通図柄表示装置１３２のＬＥＤ等を点灯させる光源制御基板Ｐ、上部球貯留皿１１５へ払い出す賞球や貸球を制御する払出制御基板Ｑ等が配設されている。これら各制御基板Ｌ〜Ｑが夫々に所定のプログラムに従って制御処理されることにより、遊技が進行していくようになっている。
【０１４３】
また、上述した主制御基板Ｌには、上述した前扉１１７及び開閉パネル１１０の開閉状態を夫々検知する検知センサ（図示省略）が、盤面中継基板Ｍを介して接続されている。そして、この各センサが、前扉１１７と開閉パネル１１０とが閉鎖状態であることを検知している場合に、主制御基板Ｌは、上述した各種入賞口１３４，１３６，１３８，１３９に設けた各入賞球検知センサ（図示省略）の遊技球検知を有効とするように制御している。すなわち、前扉１１７と開閉パネル１１０のいずれかでも開放された状態では、賞球や貸球が発生しないようにしている。
【０１４４】
次に、遊技球を遊技盤１０７の遊技領域１０８へ発射する発射装置１５０について説明する。
上述した前枠１０４には、図２１，図２３のように、上部球貯留皿１１５から取り込んだ遊技球を、遊技盤１０７の遊技領域１０８へ発射するための発射装置１５０が設けられている。この発射装置１５０には、遊技球を打圧する発射鎚１５４と、該発射鎚１５４を回動する発射駆動モータ１５６と、該発射鎚１５４の打圧強度の調節部位をなす発射ハンドル１５２とを備えている。ここで、発射ハンドル１５２は、下部球貯留皿１１３の左側から正面へ突出するように配設されている。さらに、この発射ハンドル１５２には、該ハンドルの回転角度を段階的に検知する回転角度センサ（図示省略）が内蔵されており、この回転角度センサの検知した回転角度毎に、該角度に応じた発射鎚１５４の打圧強度が調整される。すなわち、遊技者がこの発射ハンドル１５２を回動操作することにより、打圧強度を調整して遊技球を発射できるようにようなっている。
【０１４５】
また、この発射装置１５０には、発射鎚１５４により打圧した遊技球を、遊技領域１０８のガイドレール１０９へ案内する発射レール１５５も具備している。そして、この発射レール１５５、上記した発射駆動モータ１５６、発射鎚１５４等は、支持基板１５３に配設されており、この支持基盤１５３は、発射レール１５５が開閉パネル１１０の閉鎖状態で被覆されるように（図２１参照）、前枠１０４の正面視右下部位に配設される。尚、発射鎚１５４や発射レール１５５は、支持基盤１５３に対して前面側となるように配設されており、発射駆動モータ１５６は支持基盤１５３の裏面に配設されている。
【０１４６】
ここで、発射鎚１５４は、図２３のように、左右方向に回動可能に軸支され、発射コイルバネ１６０とこれに接続されたワイヤー１６０ａを介して機体内方へ付勢されている。さらに、この発射鎚１５４は、その下端１５４ｂをストッパー１６１に当接させることにより、上端側の鎚部１５４ａが発射位置Ｚに規定されるようになっている。そして、発射鎚１５４には、軸支部から発射駆動モータ１５６に向けて突成した支持アーム１６２にカムフォロア１６３が取付けられており、また、発射駆動モータ１５６の回転軸１６５には、その回転により前記カムフォロア１６３と嵌合可能なウィングカム１６４が取付けられている。
【０１４７】
上記した発射ハンドル１５２が操作されることにより発射駆動モータ１５６が駆動すると、ウィングカム１６４が回転する。そして、このウィングカム１６４がカムフォロア１６３と嵌合し、発射鎚１５４を発射コイルバネ１６０の付勢に抗して遊技機の外側方向に傾動させる。ウィングカム１６４がさらに回転してカムフォロア１６３との嵌合が外れて発射鎚１５４が解放状態となると、この発射鎚１５４がこの傾動位置から発射コイルバネ１６０の付勢力よって打圧回動する解放位置に変換される。すなわち、発射鎚１５４は発射位置Ｚまで瞬間的に引き戻される。この変換作動の繰り返しにより、発射鎚１５４が一定間隔で連続的に打圧作動を生じるようになっている。このように発射装置１５０は、遊技球を打圧して、発射位置Ｚから発射レール１５５の案内作用によって遊技球を、ガイドレール１０９を介して遊技盤１０７の遊技領域１０８へ打ち出すようにしている。
【０１４８】
ここで、発射駆動モータ１５６は、開閉パネル１１０の閉鎖状態で、発射ハンドル１５２の操作に従って駆動するように制御されており、開閉パネル１１０が開放されている場合には、駆動不能に制御されている。すなわち、上述した開閉パネル１１０の開閉状態を検知する検知センサ（図示省略）が、該開閉パネル１１０の閉鎖状態を検知している場合に、主制御基板Ｌが発射ハンドル１５２の操作を有効とするように制御している。尚、開閉パネル１１０の開放状態では、発射ハンドル１５２を操作しても発射駆動モータ１５６は駆動しない。
【０１４９】
また、上記した発射レール１５５は、図２１のように、支持基盤１５３に配設されており、その先端部が遊技盤１０７に設けられたガイドレール１０９と、所定間隔をおいて連続的に繋がっている。これにより、上記したように発射位置Ｚで打圧された遊技球は、発射レール１５５からガイドレール１０９を通って遊技領域１０８へ発射される。尚、打圧力が弱い場合には、その遊技球は遊技領域１０８へ届かなずにガイドレール１０９を逆送して、該ガイドレール１０９と発射レール１５５との間にもうけた返却路（図示省略）に流入して、後述する球供給装置１４１を介して再び発射位置Ｚへ供給されるようになっている。
【０１５０】
さらに、この支持基盤１５３には、図２１，図２３のように、発射レール１５５へ供給される遊技球を発射位置Ｚに保持するための球止め部材１６６が設けられている。これにより、常に、遊技球が正確に発射位置Ｚに供給されることとなる。
【０１５１】
一方、開閉パネル１１０の裏面側には、図２１のように、球供給装置１４１が装着されている。この球供給装置１４１には、上述した上部球貯留皿１１５の取込口（図示省略）から取り込んだ遊技球を、開閉パネル１１０の閉鎖状態で発射レール１５５を臨む位置に設けられた連通口１４２から該発射レール１５５へ供給するようにしたものである。そして、この球供給装置１４１は、発射駆動モータ１５６が駆動すると、その内部に設けられた球送り部材（図示省略）の作動により、取込口から流出した遊技球を連通口１４２から一個づつ供給する。そして、発射鎚１５４がこの遊技球を打圧すると、これに続いて連通口１４２から次の遊技球が供給される。このように、発射駆動モータ１５６の駆動と同期して、発射レール１５５の発射位置Ｚに遊技球が、順次所定間隔で間欠的に送りこまれる。
【０１５２】
次に本発明の要部について説明する。
図２４は、遊技球を貯留する長尺状の確認球貯留スティック１８０である。この確認球貯留スティック１８０は、開閉パネル１１０を開放したままの状態で、上述した発射装置１５０に取り付けられて、その発射位置Ｚに遊技球を供給し得るものである（図２５参照）。確認球貯留スティック１８０は、長手方向に沿って遊技球を一列状に貯留する球貯留領域１８１が内部に設けられた長尺状に球貯留部１８０ａと、該球貯留領域１８１の一端に遊技球を流出する球出口端１８２とを備えてなる。
【０１５３】
この球出口端１８２には、該球出口端１８２を開閉する流出口開閉蓋１８３が配設されている。この流出口開閉蓋１８３には、図２４のように、蓋部本体１８３ａの内側に、球出口端１８２に内嵌する内側嵌部１８３ｂが設けられていると共に、球出口端１８２の口縁に挿入され、この蓋部本体１８３ａを球出口端１８２の口面に沿って回転可能に支持する回動軸１８３ｃが設けられている。尚、この回動軸１８３ｃは、回転と共に軸方向に沿って移動可能ともなっている。すなわち、流出口開閉蓋１８３は、回動軸１８３ｃを中心として回転可能であり、内側嵌部１８３ｂが球出口端１８２に内嵌している閉鎖状態から、一旦軸方向外側へ引き出すことによって内側嵌部１８３ｂを球出口端１８２から外した後、回転させることにより開放状態とすることができるようになっている。そして、図２６のように、この流出口開閉蓋１８３により球出口端１８２を閉鎖することにより、球貯留領域１８１内の遊技球を貯留保持できる。また、図２６のように、流出口開閉蓋１８３を開放することにより、球貯留領域１８１内の遊技球を流出することができる。尚、流出口開閉蓋１８３を開放すれば（図２７参照）、遊技球を補充することともできる。ここで、この流出口開閉蓋１８３が、本発明にかかる流出口開閉片であり、該流出口開閉蓋１８３により球出口端１８２を開閉するようにした構成が、本発明にかかる出口開閉手段である。
【０１５４】
また、確認球貯留スティック１８０には、図２４のように、球貯留部１８０ａに沿ってスティック梁部１８０ｂが設けられており、該スティック梁部１８０ｂには、球出口端１８２側へ突出する凸形状の嵌着部１８５が延成されている。さらに、図２５，図２７のように、上述した発射装置１５０の支持基盤１５３に突成された球止め部材１６６に、この凸形状の嵌着部１８５と嵌着可能な凹形状の被嵌着部１６７が設けられている。そして、発射装置１５０の球止め部材１６６の被嵌着部１６７に、確認球貯留スティック１８０の嵌着部１８５を嵌着することにより、該確認球貯留スティック１８０を発射装置１５０に取り付け保持できるようになっている。
【０１５５】
ここで、確認球貯留スティック１８０の嵌着部１８５は、発射装置１５０の被嵌着部１６７に嵌着された状態で、球出口端１８２が発射レール１５５の発射位置Ｚに隣接する位置となるようにして形成されている（図２７（ロ）参照）。すなわち、図２６（イ），図２７（イ）のように、球出口端１８２を正面視した場合に、嵌着部１８５は、該球出口端１８２に対して当該紙面上で左上方位置となるように設けられている。これにより、嵌着部１８５が被嵌着部１６７と嵌着した場合に、図２７（ロ）のように、球止め部材１６６の直右下（支持基盤１５３を正面視した場合）に位置する発射位置Ｚに、球出口端１８２を隣接できるようになっている。そして、球出口端１８２が発射位置Ｚに隣接することによって、該発射位置Ｚに供給された遊技球が、次の遊技球を球出口端１８２で係止することとなる。したがって、発射位置Ｚの遊技球が発射される毎に、順次遊技球が該発射位置Ｚに供給される。すなわち、発射レール１５５には、かならず一個毎に遊技球が供給されるようになっている。
【０１５６】
さらに、この嵌着部１８５は、上述したようにスティック梁部１８０ｂから延成されてなるようにしていることから、被嵌着部１６７に嵌着された場合に、該スティック梁部１８０ｂの剛性により球貯留部１８０ａを支持できるようになっており、当該嵌着状態を保持できる。尚、この嵌着状態で、球貯留部１８０ａの球貯留領域１８１は緩やかに下方傾斜する形状を成しており、該球貯留領域１８１内の遊技球が球出口端１８２から流出し易いようになっている。
【０１５７】
このように、確認球貯留スティック１８０の嵌着部１８５と、発射装置１５０の球止め部材１６６の被嵌着部１６７とから、本発明にかかるスティック保持手段が構成されている。
【０１５８】
一方、上述した遊技機本体１０３の前枠１０４には、図２１，図２５のように、開閉パネル１１０の閉鎖状態で、該開閉パネル１１０により被覆される位置に、保守用操作部１７０が設けられている。この保守用操作部１７０には、保守用作動ボタン１７１が配設されている。この保守用作動ボタン１７１は、上述した主制御基板Ｌに盤面中継基板Ｍを介して接続されている。そして、開閉パネル１１０の開放状態で保守用作動ボタン１７１がオン操作されると、主制御基板Ｌが、発射ハンドル１５２の操作を有効とすると共に、遊技盤１０７に配設された各種入賞口１３４，１３６，１３８，１３９の各入賞球検知センサ（図示省略）による遊技球検知を無効するように制御処理する。したがって、開閉パネル１１０を開放したままの状態で、発射ハンドル１５２を操作することにより、発射位置Ｚに供給された遊技球を遊技領域１０８へ発射することができ、当該遊技球がいずれかの入賞口１３４，１３６，１３８，１３９に入っても賞球や所定遊技等が発生しない。
【０１５９】
ここで、保守用作動ボタン１７１のオン操作に伴って実行される発射ハンドル１５２の有効処理と各種入賞口の遊技球検知無効処理とは、開閉パネル１１０が閉鎖されることにより終了するようにしている。
【０１６０】
尚、上述した保守用作動ボタン１７１が、本発明にかかる保守用作動スイッチである。
【０１６１】
このように、上述した確認球貯留スティック１８０と、該確認球貯留スティック１８０を発射装置１５０に取り付け保持する嵌着部１８５及び被嵌着部１６７からなるスティック保持手段と、保守用作動ボタン１７１が設けられた保守用操作部１７０とにより、本発明にかかる作動確認用球供給装置が構成されている。
【０１６２】
次に、上述した発射装置１５０の発射作動を確認する手順について説明する。
遊技者がパチンコ遊技機１０１を遊技中に、発射ハンドル１５２を操作しても正常に遊技球が遊技領域１０８へ発射されないという不具合が発生したとする。遊技場の係員は、この不具合を解消するために、開閉パネル１１０を開放するか、前枠１０４を開放するかして、当該発射装置１５０に発生した不具合の修理や、該装置１５０を構成する部品の交換等と行う。
【０１６３】
そして、上記のように修理・交換等の作業が終了すると、図２５のように、開閉パネル１１０を開放したままの状態で、発射装置１５０の発射作動確認を行う。係員は、携帯している確認球貯留スティック１８０を、その球出口端１８２を閉鎖している流出口開閉蓋１８３を開放して、その嵌着部１８５が球止め部材１６６の被嵌着部１６７に嵌着させることにより、発射装置１５０に取り付ける。これにより、図２８（ロ）のように、確認球貯留スティック１８０の球貯留領域１８１に貯留されていた遊技球が、球出口端１８２から流出して、発射レール１５５の発射位置Ｚに供給される。
【０１６４】
係員は、保守用操作部１７０の保守用作動ボタン１７１をオン操作した後、発射ハンドル１５２を操作する。ここで、上記した不具合が解消されていれば、この発射ハンドル１５２の操作に従って発射鎚１５４が回動して、発射位置Ｚに在る遊技球を打圧する。そして、この遊技球は発射レール１５５及びガイドレール１０９を通過して遊技領域１０８に打ち出される。さらに、発射ハンドル１５２が連続して操作されると、確認球貯留スティック１８０から発射位置Ｚに順次供給される遊技球を次々と発射する。尚、遊技領域１０８に発射された遊技球が、遊技盤１０７に配設された各種入賞口１３４，１３６，１３８，１３９に流入しても賞球や特定の遊技作動等は実行されない。
【０１６５】
このように、発射位置Ｚに在る遊技球が発射される様を目視により確認すると、係員は発射装置１５０が正常に作動すると判断する。そして、球止め部材１６６の被嵌着部１６７から嵌着部１８５を脱嵌するようにして、確認球貯留スティック１８０を前方へ引く。このようにして、確認球貯留スティック１８０を発射装置１５０から取り外し（図２５参照）、流出口開閉蓋１８３を回転させて球出口端１８２に嵌着させる（図２６参照）。この後、開閉パネル１１０を閉鎖して、発射装置１５０に生じた不具合を解消する作業を終了する。そして、遊技者は遊技を再開することができる。
【０１６６】
ここで、上記した保守用作動ボタン１７１が操作され、発射ハンドル１５２が操作された場合に、遊技球が正常に発射されないと、不具合が解消されていないか、別の不具合が残っていることとなる。この場合には、再び発射装置１５０を修理等し、その後、上述と同様に発射作動確認を改めて行う。
【０１６７】
このように本実施例４の構成にあっては、パチンコ遊技機１の発射装置１５０に不具合や異常を生じた場合に、該不具合や異常等を修理し、その後に確認球貯留スティック１８０を発射装置１５０に取り付けることにより、該確認球貯留スティック１８０内の遊技球を用いて発射装置１５０の発射作動確認を行い得るようにしたものある。この発射作動確認では、遊技者の遊技球を使用せず、かつ比較的容易かつ確実に遊技球を発射位置Ｚに順次供給することができるため、遊技球を紛失することもなく、遊技者との間にトラブルが生じることや、遊技場に不利益を被ることがない。また、発射作動確認は、確認球貯留スティック１８０の脱着と、保守用作動ボタン１７１の操作とにより実行可能であるため、その作業性に優れている。
【０１６８】
上述した実施例１〜実施例４の具体例に示すように、本発明にかかる作動確認用球供給装置は、スロットマシンの球取込装置又はパチンコ遊技機の発射装置の作動確認を、容易かつ適正に行うことができ、かつ優れた作業性を発揮し得るものである。そして、本発明は、実施例１〜実施例４に限定されるものではなく、様々な構成により実現可能となる。
【０１６９】
例えば、図２８のように、スロットマシン１の球取込装置５０に取り付ける確認球貯留スティック６０’を、その球出口端６２’を球貯留領域６１’の一端縁の側部に設けるようにした構成として、球取込装置５０に取り付けられた場合に、その球貯留領域６１’が正面視左右方向に配されるようにすることもできる。この構成では、球出口端６２’の口縁に形成した嵌着口縁６３’は、球貯留領域６１’から略直角状に折り曲がって、全体として略Ｌ字状となる。また、図２９のように、球回収スティック７５’にあっても、確認球貯留スティック６０’と同様に、略Ｌ字状に形成してなる構成とすることもできる。この球回収スティック７５’は、球回収領域７６’が略Ｌ字状を成すと共に、球取込装置８０の回収用開口８２に嵌入する回収嵌入部７７’が短辺の先端部分に形成される。そして、確認球貯留スティック６０’と球回収スティック７５’とを球取込装置８０に取り付け保持し、取込作動確認を行う。これら構成にあっても、上述した実施例１及び実施例２と同様の作用効果を発揮し得る。
【０１７０】
また、上述した実施例１にあって、各確認球貯留スティック６０に、球取込装置５０に取り付けられた場合に、この取り付け状態をより強く保持するために、一方に係止爪を設け、他方に該係止爪が係止する部位を設けてなる構成の係合手段を設けることも可能である。そして、同様の係合手段を、実施例２〜実施例４にも設けることもでき、さらに、球回収スティック７５にもこの係合手段を設けることができる。
【図面の簡単な説明】
【０１７１】
【図１】本発明にかかるスロットマシン１の外観斜視図である。
【図２】同上のスロットマシン１の分解斜視図である。
【図３】同上のスロットマシン１の前枠４に枢結される開閉パネル１０及び前扉１７と、該前枠４に配設される球取込装置５０を表す分解斜視図である。
【図４】同上のスロットマシン１の、裏機構板５を背面からみた斜視図である。
【図５】同上のスロットマシン１の遊技を制御する制御回路を示すブロック図である。
【図６】実施例１の球取込装置５０の、（イ）前方外嵌斜視図、（ロ）後方外嵌斜視図、（ハ）取込ケース５１を開放した状態の前方斜視図である。
【図７】実施例１の確認球貯留スティック６０を球取込装置５０に、（イ）取り付ける前後の状態と、（ロ）保持した状態とを表す前方斜視図である。
【図８】同上の確認球貯留スティック６０を球取込装置５０に、（イ）取り付ける前後の状態と、（ロ）保持した状態とを表す断面図である。
【図９】同上の確認球貯留スティック６０の、（イ）球出口端６２と、（ロ）球補充口６５とを表す部分拡大図である。
【図１０】同上の球取込装置５０による、遊技球の取込作動を表す説明図である。
【図１１】同上の球取込装置５０の、手動用の操作レバー５８を操作されることによって遊技球を取り込む取込作動を表す説明図である。
【図１２】実施例１の開閉パネル１０のパネル部材１１を表す後方斜視図である。
【図１３】実施例１の球通路変換装置３６を後方から見た、（イ）外観斜視図と、（ロ）断面図である。
【図１４】実施例２の球取込装置８０が前枠４に配設されている状態を表す部分拡大図である。
【図１５】実施例２の確認球貯留スティック６０と球回収スティック７５とを球取込装置８０に、（イ）取り付ける前後の状態と、（ロ）保持した状態とを表す前方斜視図である。
【図１６】同上の確認球貯留スティック６０と球回収スティック７５とを球取込装置８０に取り付ける過程を説明する断面図である。
【図１７】実施例３の確認球貯留スティック９０と球取込装置８０とを表す前方斜視図である。
【図１８】同上の確認球貯留スティック９０を球取込装置８０に取り付け保持し、取り外すまでの過程を説明する断面図である。
【図１９】同上の確認球貯留スティック９０の、球回収領域９２に回収した遊技球を球貯留領域９１へ移す過程を説明する断面図である。
【図２０】本発明にかかるパチンコ遊技機１０１の正面図である。
【図２１】同上のパチンコ遊技機１０１の、前扉１１７と開閉パネル１１０とを開放した状態を表す斜視図である。
【図２２】同上のパチンコ遊技機１０１の遊技を制御する制御回路を示すブロック図である。
【図２３】同上のパチンコ遊技機１０１の発射装置１５０を表す裏面図である。
【図２４】実施例４の確認球貯留スティック１８０を表す、（イ）外嵌斜視図と（ロ）分解斜視図である。
【図２５】発射装置１５０に確認球貯留スティック１８０を取り付ける状態を表す説明図である。
【図２６】同上の確認球貯留スティック１８０の球出口端１８２の閉鎖状態を表す、（イ）正面図と（ロ）側面図である。
【図２７】同上の確認球貯留スティック１８０の、（イ）球出口端１８２の開放状態を表す正面図と（ロ）発射装置１５０に保持された状態を表す断面図である。
【図２８】スロットマシン１の球取込装置５０に取り付ける、別例の確認球貯留スティック６０’を表す説明図である。
【図２９】スロットマシン１の球取込装置８０に取り付ける、別例の確認球貯留スティック６０’と球回収スティック７５’とを表す説明図である。
【符号の説明】
【０１７２】
１  スロットマシン
３  遊技機本体
１０  開閉パネル
１５  上部球貯留皿（球貯留皿）
２０  取込口
３０ａ〜３０ｃ  回転リール
３６  球通路変換装置（球通路変換手段）
３７  返却通路
３８  排出通路
５０、８０  球取込装置
５１、８１  取込ケース
５２  球取込路
５３  球取込口
５９  取込球検知センサ
６０、９０  確認球貯留スティック
６１、９１  球貯留領域
６２  球出口端
６３  嵌着口縁
６４  被嵌着口縁
６７  開閉バネ部材
７０，８５  保守用操作部
７１  取込リセットボタン（取込リセットスイッチ）
７２  保守用作動ボタン（保守用作動スイッチ）
７３  保守用返却ボタン（保守用返却スイッチ）
７５  球回収スティック
７６，９２  球回収領域
７７  回収嵌入部
７８  球回収口端
８２  回収用開口
８３  開閉蓋
８６  保守用返却路ボタン（保守用返却路スイッチ）
８７  保守用取込作動ボタン（保守用取込作動ボタン）
１０１  パチンコ遊技機
１０３  遊技機本体
１０７  遊技盤
１１０  開閉パネル
１１５  上部球貯留皿（球貯留皿）
１５０  発射装置
１５４  発射鎚
１５５  発射レール
１６７  被嵌着部
１７１  保守用作動ボタン（保守用作動スイッチ）
１８０  確認球貯留スティック
１８１  球貯留領域
１８２  球出口端
１８３  流出口開閉蓋（流出口開閉片）
１８５  嵌着部
Ｚ  発射位置
【図１】
2006346019.tif 000003
【図２】
2006346019.tif 000004
【図３】
2006346019.tif 000005
【図４】
2006346019.tif 000006
【図５】
2006346019.tif 000007
【図６】
2006346019.tif 000008
【図７】
2006346019.tif 000009
【図８】
2006346019.tif 000010
【図９】
2006346019.tif 000011
【図１０】
2006346019.tif 000012
【図１１】
2006346019.tif 000013
【図１２】
2006346019.tif 000014
【図１３】
2006346019.tif 000015
【図１４】
2006346019.tif 000016
【図１５】
2006346019.tif 000017
【図１６】
2006346019.tif 000018
【図１７】
2006346019.tif 000019
【図１８】
2006346019.tif 000020
【図１９】
2006346019.tif 000021
【図２０】
2006346019.tif 000022
【図２１】
2006346019.tif 000023
【図２２】
2006346019.tif 000024
【図２３】
2006346019.tif 000025
【図２４】
2006346019.tif 000026
【図２５】
2006346019.tif 000027
【図２６】
2006346019.tif 000028
【図２７】
2006346019.tif 000029
【図２８】
2006346019.tif 000030
【図２９】
2006346019.tif 000031